(57)【要約】  ＭＭＥが、トラッキングエリアの基地局がｅＤＲＸ（extended discontinuous reception）をサポートするという指示を受信する通信システムを開示する。ＭＭＥは、通信デバイスに対してページングが要求されていること及び当該通信デバイスがトラッキングエリアの基地局のセルに位置すると判定する。ＭＭＥは、ｅＤＲＸに対するサポートの指示を受け取っていない基地局を介してｅＤＲＸに固有でないＤＲＸ（discontinuous reception）情報に従って通信デバイスのページングをトリガし、ｅＤＲＸのためのサポートの指示を受け取った基地局を介してｅＤＲＸ固有の情報に従って通信デバイスのページングをトリガする。【選択図】図５
2019533357.tif 000002
【特許請求の範囲】
【請求項１】
セルラ通信システムのためのコアネットワーク通信ノードであって、該コアネットワーク通信ノードは、
コントローラとトランシーバとを備え、
前記コントローラは、
それぞれが前記セルラ通信システムの少なくとも１つのセルを動作させる複数の通信装置を含む少なくとも１つのトラッキングエリアを識別するための情報を保持し、
前記セルラ通信システムの前記少なくとも１つのトラッキングエリアの少なくとも１つの通信装置がｅＤＲＸ（extended discontinuous reception）をサポートするという少なくとも１つの指示を受信するように前記トランシーバを制御し、
通信デバイスに対してページングが要求されていること及び当該通信デバイスが前記少なくとも１つのトラッキングエリアの通信装置のセルに位置すると判定し、
ｅＤＲＸのサポートの指示が受信されない前記少なくとも１つのトラッキングエリアの通信装置を介して、ｅＤＲＸに固有でないＤＲＸ（discontinuous reception）情報に応じて前記通信デバイスのページングをトリガし、
ｅＤＲＸのサポートの指示が受信された前記少なくとも１つのトラッキングエリアの各通信装置を介して、ｅＤＲＸ固有の情報に応じて前記通信デバイスのページングをトリガする、コアネットワーク通信ノード。
【請求項２】
前記コントローラは、ｅＤＲＸ固有の情報に応じて、前記通信デバイスの前記ページングをトリガする前に、前記通信装置が、ｅＤＲＸに固有ではないＤＲＸ情報に応じて、前記通信デバイスの以前のページングに応答したか否かを判定する、請求項１に記載のコアネットワーク通信ノード。
【請求項３】
前記コントローラは、前記通信デバイスが前記通信デバイスの前記以前のページングに応答していないと判定した場合、ｅＤＲＸ固有の情報に応じて、前記通信デバイスの前記ページングをトリガする、請求項２に記載のコアネットワーク通信ノード。
【請求項４】
前記コントローラは、前記通信デバイスが前記通信デバイスの前記以前のページングに応答していると判定した場合、ｅＤＲＸ固有の情報に応じて前記通信デバイスの前記ページングをトリガしない、請求項２又は３に記載のコアネットワーク通信ノード。
【請求項５】
セルラ通信システムのためのコアネットワーク通信ノードであって、該コアネットワーク通信ノードは、
コントローラとトランシーバとを備え、
前記コントローラは、
それぞれが前記セルラ通信システムの少なくとも１つのセルを動作させる複数の通信装置を含む少なくとも１つのトラッキングエリアを識別するための情報を保持し、
前記セルラ通信システムの前記少なくとも１つのトラッキングエリアの少なくとも１つの通信装置がｅＤＲＸ（extended discontinuous reception）をサポートするという少なくとも１つの指示を受信するように前記トランシーバを制御し、
前記少なくとも１つのトラッキングエリアの通信装置のセルに位置する通信デバイスから、ｅＤＲＸを有効にするための情報を含む要求メッセージを受信し、
前記少なくとも１つのトラッキングエリアの全ての前記複数の通信装置がｅＤＲＸをサポートすることを示しているか否かを判定し、
前記コントローラが、前記少なくとも１つのトラッキングエリアの全ての前記複数の通信装置がｅＤＲＸをサポートすることを示しているわけではないと判定した場合、ｅＤＲＸを有効にすることを拒否するメッセージを前記通信デバイスに送信するように前記トランシーバを制御し、
前記コントローラが、前記少なくとも１つのトラッキングエリアの全ての前記複数の通信装置がｅＤＲＸをサポートすることを示していると判定した場合、ｅＤＲＸを有効にすることを受け入れるメッセージを前記通信デバイスに送信するように前記トランシーバを制御する、コアネットワーク通信ノード。
【請求項６】
前記要求メッセージ及びｅＤＲＸを有効にすることを受け入れる（又は拒否する）前記メッセージはそれぞれ、アタッチ手順の一部を形成するアタッチ要求メッセージ及びアタッチ受付メッセージ（又はアタッチ拒否メッセージ）である、請求項１から５のいずれか１項に記載のコアネットワーク通信ノード。
【請求項７】
前記要求メッセージ及び受け入れる（又は拒否する）前記メッセージはそれぞれ、ＴＡＵ手順の一部を形成するＴＡＵ（tracking area update）要求メッセージ、及びＴＡＵ受付メッセージ（又はＴＡＵ拒否メッセージ）である、請求項１から５のいずれか１項に記載のコアネットワーク通信ノード。
【請求項８】
前記セルラ通信システムの前記少なくとも１つのトラッキングエリアの少なくとも１つの通信装置がｅＤＲＸをサポートするという前記少なくとも１つの指示は、前記少なくとも１つのトラッキングエリアの全ての通信装置がｅＤＲＸをサポートするという指示を含む、請求項１から７のいずれか１項に記載のコアネットワーク通信ノード。
【請求項９】
前記セルラ通信システムの前記少なくとも１つのトラッキングエリアの少なくとも１つの通信装置がｅＤＲＸをサポートするという前記少なくとも１つの指示は、ｅＤＲＸをサポートする各通信装置に対するそれぞれの指示を含む、請求項１から７のいずれか１項に記載のコアネットワーク通信ノード。
【請求項１０】
前記コントローラは、前記セルラ通信システムの前記少なくとも１つのトラッキングエリアの少なくとも１つの通信装置がｅＤＲＸをサポートするという前記少なくとも１つの指示を前記少なくとも１つの通信装置から（例えば、Ｓ１インタフェースを介して、例えば、Ｓ１ＡＰ（S1 application protocol）メッセージにおいて）受信するように前記トランシーバを制御する、請求項９に記載のコアネットワーク通信ノード。
【請求項１１】
前記コントローラは、前記セルラ通信システムの前記少なくとも１つのトラッキングエリアの少なくとも１つの通信装置がｅＤＲＸをサポートするという前記少なくとも１つの指示をＯＡＭ（運用管理メンテナンス：operations, administration, and maintenance）機能から受信するように前記トランシーバを制御する、請求項１から９のいずれか１項に記載のコアネットワーク通信ノード。
【請求項１２】
セルラ通信システムの少なくとも１つのセルを動作させるための通信装置であって、該通信装置は、
コントローラとトランシーバとを備え、
前記コントローラは、
前記セル内の通信デバイスにより、ｅＤＲＸ（extended discontinuous reception）の使用に対するサポートを提供し、
前記通信装置がｅＤＲＸをサポートするという指示をコアネットワーク通信ノードに提供するように前記トランシーバを制御する、通信装置。
【請求項１３】
セルラ通信システムのためのコアネットワーク通信ノードであって、該コアネットワーク通信ノードは、
コントローラとトランシーバとを備え、
前記コントローラは、
それぞれが前記セルラ通信システムの少なくとも１つのセルを動作させる複数の通信装置を含む少なくとも１つのトラッキングエリアを識別するための情報を保持し、
通信デバイスが位置している前記セルを動作する通信装置がｅＤＲＸをサポートしているか否かに関わらず、ｅＤＲＸ（extended discontinuous reception）が使用されるという指示を、前記少なくとも１つのトラッキングエリアの通信装置のセルに位置する通信デバイスに送信するように前記トランシーバを制御し、
ｅＤＲＸ設定に応じて前記通信デバイスにおいてｅＤＲＸを使用することを可能にするために前記通信デバイスと通信するように前記トランシーバを制御し、
前記通信デバイスに対してページングが要求されていることを判定し、
前記ｅＤＲＸ設定に応じて、ＰＴＷ（paging transmission window）内において、又は直前において、前記少なくとも１つのトラッキングエリアの前記複数の通信装置を介して、前記通信デバイスのページングをトリガする、コアネットワーク通信ノード。
【請求項１４】
前記コントローラは、前記ページングをトリガする場合、ｅＤＲＸに固有でないＤＲＸ（discontinuous reception）情報に基づいて、ページングをトリガする、請求項１３に記載のコアネットワーク通信ノード。
【請求項１５】
ｅＤＲＸ（extended discontinuous reception）が使用されるという指示は、ＮＡＳ（non-access stratum）メッセージにおいて提供される、請求項１３又は１４に記載のコアネットワーク通信ノード。
【請求項１６】
ｅＤＲＸ（extended discontinuous reception）が使用されるという指示は、ｅＤＲＸを有効にすることを要求しない（例えば、ｅＤＲＸパラメータを含まない）要求メッセージに対して送信される受付メッセージ（例えば、アタッチメッセージ又はトラッキングエリア更新受付メッセージ）にｅＤＲＸパラメータを含むことにより提供される、請求項１３、１４、又は１５に記載のコアネットワーク通信ノード。
【請求項１７】
前記コントローラは、さらに、前記ＰＴＷの終わりで前記ページングを停止することをトリガする、請求項１３〜１６のいずれか１項に記載のコアネットワーク通信ノード。
【請求項１８】
セルラ通信システムのための通信デバイスであって、該通信デバイスは、
コントローラとトランシーバとを備え、
前記コントローラは、
コアネットワーク通信ノードから、前記通信デバイスが位置しているセルを動作する通信装置がｅＤＲＸをサポートしているか否かに関わらず、ｅＤＲＸ（extended discontinuous reception）が使用されるという指示を受信するように前記トランシーバを制御し、
前記通信デバイスが位置している前記セルを動作する前記通信装置がｅＤＲＸをサポートしているか否かに関わらず、ｅＤＲＸ設定に応じて前記通信デバイスにおいてｅＤＲＸの使用を可能にするために前記コアネットワーク通信ノードと通信するように前記トランシーバを制御し、
前記ｅＤＲＸ設定に応じて、ＰＴＷ（paging transmission window）の間、ページングメッセージを監視するために前記トランシーバを起動するように制御する、通信装置。
【請求項１９】
セルラ通信システムの少なくとも１つのセルを動作させるための通信装置であって、該通信装置は、
コントローラとトランシーバとを備え、
前記コントローラは、
コアネットワーク通信ノードから、ｅＤＲＸ設定に応じて、ＰＴＷ（paging transmission window）内において、又は直前において、通信デバイスのページングをトリガするためのメッセージを受信するように前記トランシーバを制御し、
ｅＤＲＸに固有でないＤＲＸ（discontinuous reception）情報に応じて、前記セルにおいてページングメッセージを送信するように前記トランシーバを制御し、
前記トランシーバが前記ＰＴＷの終わりにおいて前記セルに前記ページングメッセージを送信することを停止する、通信装置。
【請求項２０】
前記コントローラは、前記通信装置において実装されるタイマに基づいて、前記トランシーバが前記ＰＴＷの終わりにおいて前記セルに前記ページングメッセージを送信することを停止する、請求項１９に記載の通信装置。
【請求項２１】
前記コントローラは、前記コアネットワーク通信ノードから受信したメッセージに基づいて、前記トランシーバが前記ＰＴＷの終わりにおいて前記セルに前記ページングメッセージを送信することを停止する、請求項１９に記載の通信装置。
【請求項２２】
セルラ通信システムにおけるコアネットワーク通信ノードにより実行される方法であって、該方法は、
それぞれが前記セルラ通信システムの少なくとも１つのセルを動作させる複数の通信装置を含む少なくとも１つのトラッキングエリアを識別するための情報を保持することと、
前記セルラ通信システムの前記少なくとも１つのトラッキングエリアの少なくとも１つの通信装置がｅＤＲＸ（extended discontinuous reception）をサポートするという少なくとも１つの指示を受信することと、
通信デバイスに対してページングが要求されていること及び当該通信デバイスが前記少なくとも１つのトラッキングエリアの通信装置のセルに位置すると判定することと、
ｅＤＲＸのサポートの指示が受信されない前記少なくとも１つのトラッキングエリアの通信装置を介して、ｅＤＲＸに固有でないＤＲＸ（discontinuous reception）情報に応じて前記通信デバイスのページングをトリガすることと、
ｅＤＲＸのサポートの指示が受信された前記少なくとも１つのトラッキングエリアの各通信装置を介して、ｅＤＲＸ固有の情報に応じて前記通信デバイスのページングをトリガすることと、を含む、方法。
【請求項２３】
セルラ通信システムにおけるコアネットワーク通信ノードにより実行される方法であって、該方法は、
それぞれが前記セルラ通信システムの少なくとも１つのセルを動作させる複数の通信装置を含む少なくとも１つのトラッキングエリアを識別するための情報を保持することと、
前記セルラ通信システムの前記少なくとも１つのトラッキングエリアの少なくとも１つの通信装置がｅＤＲＸ（extended discontinuous reception）をサポートするという少なくとも１つの指示を受信することと、
前記少なくとも１つのトラッキングエリアの通信装置のセルに位置する通信デバイスから、ｅＤＲＸを有効にするための情報を含む要求メッセージを受信することと、
前記少なくとも１つのトラッキングエリアの全ての前記複数の通信装置がｅＤＲＸをサポートすることを示しているか否かを判定することと、
前記コントローラが、前記少なくとも１つのトラッキングエリアの全ての前記複数の通信装置がｅＤＲＸをサポートすることを示しているわけではないと判定した場合、ｅＤＲＸを有効にすることを拒否するメッセージを前記通信デバイスに送信することと、
前記コントローラが、前記少なくとも１つのトラッキングエリアの全ての前記複数の通信装置がｅＤＲＸをサポートすることを示していると判定した場合、ｅＤＲＸを有効にすることを受け入れるメッセージを前記通信デバイスに送信することと、を含む、方法。
【請求項２４】
セルラ通信システムの少なくとも１つのセルを動作させる通信装置により実行される方法であって、該方法は、
前記セル内にある通信デバイスによってｅＤＲＸ（extended discontinuous reception）の使用に対するサポートを提供することと、
前記通信装置がｅＤＲＸをサポートするという指示をコアネットワーク通信ノードに提供することと、を含む、方法。
【請求項２５】
セルラ通信システムにおけるコアネットワーク通信ノードにより実行される方法であって、該方法は、
それぞれが前記セルラ通信システムの少なくとも１つのセルを動作させる複数の通信装置を含む少なくとも１つのトラッキングエリアを識別するための情報を保持することと、
通信デバイスが位置しているセルを動作する通信装置がｅＤＲＸをサポートしているか否かに関わらず、ｅＤＲＸ（extended discontinuous reception）が使用されるという指示を、前記少なくとも１つのトラッキングエリアの通信装置のセルに位置する通信デバイスに送信することと、
ｅＤＲＸ設定に応じて前記通信デバイスにおけるｅＤＲＸの使用を有効にするために前記通信デバイスと通信することと、
前記通信デバイスに対してページングが要求されていることを判定することと、
前記ｅＤＲＸ設定に応じて、ＰＴＷ（paging transmission window）内において、又は直前において、前記少なくとも１つのトラッキングエリアの前記複数の通信装置を介して、前記通信デバイスのページングをトリガすることと、を含む、方法。
【請求項２６】
セルラ通信システムにおける通信デバイスにより実行される方法であって、該方法は、
コアネットワーク通信ノードから、前記通信デバイスが位置しているセルを動作する通信装置がｅＤＲＸをサポートしているか否かに関わらず、ｅＤＲＸ（extended discontinuous reception）が使用されるという指示を受信することと、
前記通信デバイスが位置している前記セルを動作する前記通信装置がｅＤＲＸをサポートしているか否かに関わらず、ｅＤＲＸ設定に応じて前記通信デバイスにおいてｅＤＲＸの使用を有効にするために前記コアネットワーク通信ノードと通信することと、
前記ｅＤＲＸ設定に応じて、ＰＴＷ（paging transmission window）の間、ページングメッセージを監視するために起動することと、
を含む、方法。
【請求項２７】
セルラ通信システムの少なくとも１つのセルを動作させる通信装置により実行される方法であって、該方法は、
通信デバイスのページングをトリガするためのメッセージを、ｅＤＲＸ設定に応じて、ＰＴＷ（paging transmission window）内において、又は直前において、コアネットワーク通信ノードから受信することと、
ｅＤＲＸに固有でないＤＲＸ（discontinuous reception）情報に応じて、前記セルにおいてページングメッセージを送信することと、
前記トランシーバが前記ＰＴＷの終わりにおいて前記セルに前記ページングメッセージを送ることを停止することと、を含む、方法。
【発明の詳細な説明】
【技術分野】
【０００１】
本発明は通信システムに関する。本発明は特に３ＧＰＰ（３ｒｄ  Ｇｅｎｅｒａｔｉｏｎ  Ｐａｒｔｎｅｒｓｈｉｐ  Ｐｒｏｊｅｃｔ）標準規格もしくはその等価のもの又は派生したものに従って動作する無線通信システム及び無線通信デバイスに関連するがそれらと排他的に関連するものではない。本発明は特に低電力ユーザ装置並びに関連するＲＡＮ（無線アクセスネットワーク）及びコアネットワーク装置におけるｅＤＲＸ（extended discontinuous reception）機能の実装及び使用に関連するがそれらと排他的に関連するものではない。
【背景技術】
【０００２】
３ＧＰＰ標準規格の最新の開発は、ＥＰＣ（Ｅｖｏｌｖｅｄ  Ｐａｃｋｅｔ  Ｃｏｒｅ）ネットワーク及びＥ−ＵＴＲＡＮ（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ）のＬＴＥ（Ｌｏｎｇ  Ｔｅｒｍ  Ｅｖｏｌｕｔｉｏｎ）と呼ばれる。３ＧＰＰ標準規格に従って動作する携帯（セルラ）通信ネットワークにおいて、ＮｏｄｅＢ（又はＬＴＥにおけるｅＮＢ）は、通信デバイスがコアネットワークに接続し他の通信デバイス又はリモートサーバと通信するための基地局である。簡略化するために、本願では基地局という用語をスモール（例えば、ピコ又はフェムト）セルを動作させる低電力ノード（ＬＰＮ）を含む任意のこれらの基地局を意味するものとして用いる。
【０００３】
一般に「ユーザ装置（すなわち「ＵＥ」）」と呼ばれることの多い、基地局を介して通信する通信デバイスは、例えば、携帯電話、スマートフォン、携帯情報端末、ラップトップ／タブレットコンピュータ、ウェブブラウザ、電子書籍リーダー等の移動通信デバイスを含み得る。これらの携帯（又はほぼ静止している状態の）デバイスは典型的にはユーザにより動作されるものである。しかしながら、３ＧＰＰ標準規格によりまた、ＩｏＴ（「モノのインターネット（Ｉｎｔｅｒｎｅｔ  ｏｆ  Ｔｈｉｎｇｓ）」）デバイスと呼ばれる、実質的に自律的なＵＥがネットワークに接続することが可能となっている。これらのＩｏＴデバイスは、典型的には、様々な測定機器、テレメトリ機器、監視システム、追跡及びトレースデバイス、車載安全システム、車両メンテナンスシステム、道路センサ、デジタル広告板、ＰＯＳ（販売時点情報管理（ｐｏｉｎｔ  ｏｆ  ｓａｌｅ））端末、リモート制御システム等の自動化機器を含む。ＩｏＴデバイスは、ＩｏＴデバイスによっては非静止タイプの装置（例えば、車両）に組み込まれるものもあり又は監視対象／追跡対象の動物又は人物に張り付けられるものもあるが、自動販売機、路側センサ、ＰＯＳ端末等の（ほぼ）静止している装置の一部として実装され得る。ＩｏＴデバイスは時にＭＴＣ（マシンタイプ通信（Ｍａｃｈｉｎｅ−Ｔｙｐｅ  Ｃｏｍｍｕｎｉｃａｔｉｏｎ））通信デバイス又はＭ２Ｍ（マシンツーマシン（Ｍａｃｈｉｎｅ−ｔｏ−Ｍａｃｈｉｎｅ））通信デバイスとも呼ばれることが理解されよう。
【０００４】
狭帯域ＩｏＴ（ＮＢ−ＩｏＴ）デバイスは、（例えば、数年間はバッテリを交換する必要がないことを保証するために）厳密に狭帯域であることを要求し且つ／又は省エネルギーであることを要求することから、ＭＴＣデバイスの特別なサブセットを形成する。狭帯域ＩｏＴデバイスのサブセット内にないＥＵＴＲＡＮ  ＵＥは、総じて広帯域ＥＵＴＲＡＮ  ＵＥ（ＷＢ−ＥＵＴＲＡＮ  ＵＥ）と呼ばれることがしばしばある。
【０００５】
事実上、モノのインターネット（Ｉｎｔｅｒｎｅｔ  ｏｆ  Ｔｈｉｎｇ）は適切な電子機器、ソフトウェア、センサ、ネットワークの接続性等を備えたデバイス（又は「モノ」）のネットワークであり、それによりこれらのデバイスがデータを収集し互いにデータをやり取りし、また他の複数の通信デバイスとデータをやり取りすることが可能になる。簡潔にするために、本願は説明において一般にＩｏＴデバイスについて言及するが、本明細書において説明する技術は、これらの通信デバイスが人間による入力により制御されるものであるかメモリに格納されたソフトウェア命令により制御されるものであるかに関わらず、データを送信／受信するための通信ネットワークに接続され得るいかなる種類の（携帯型及び／又はほぼ静止している状態の）ＵＥにも実装され得ることが理解されよう。
【０００６】
ＩｏＴデバイスは、一般にできる限り長い間、人間による監視を必要とせずに動作することができるように設計されている。例えば、ＩｏＴデバイスは、自律的に接続を設定しイベントを報告し、その後スリープモード、スタンバイモード等の低電力動作モードに戻るようにプログラムすることができる。したがって、デバイスのバッテリの寿命を長くすることを保証することは、ＮＢ−ＩｏＴデバイスの動作にとって重要な設計事項であり、またＷＢ−ＥＵＴＲＡＮデバイスにとっての懸念事項でもある。
【０００７】
バッテリの寿命を改善するための１つのメカニズムがいわゆる間欠受信（ＤＲＸ）の使用である。従来、通常のＤＲＸでは、ＵＥは所定のページング（または「ＤＲＸ」）周期で一度のみ起こる比較的短いページング機会（ＰＯ：paging occasion）の間、ページングメッセージを監視する。３ＧＰＰ標準規格のＲｅｌｅａｓｅ  １２に準拠するレガシＬＴＥシステムでは、最大のＤＲＸ周期は２．５６秒であり、これはＵＥが２．５６秒毎に一度起動してページングメッセージをチェックすることを示している。したがって、ＤＲＸ周期で設定されたＵＥはページングメッセージを継続的に監視することを回避することができ、これによりＵＥは回路の一部をオフにして消費電力を低減することができる。Ｒｅｌｅａｓｅ  １２タイプのＤＲＸが図１ａに示される。図１ａでは、多くのＵＥ（ＵＥａ、ＵＥｂ等）が各ページング周期の第１の無線フレームの第１のサブフレームにおいてページング機会を有する一方、他のＵＥ（ＵＥｘ、ＵＥｙ等）は各ページング周期の第１の無線フレームの第５のサブフレームごとにページング機会を有する。しかしながら、このようなＤＲＸは、定期的に（例えば、一日に一度あるいはさらに頻繁に）再充電することができるＵＥ（例えば、携帯電話）に対しては十分にバッテリ寿命を向上することができるが、年単位で（何日も又は何時間もではなく）測定される長いバッテリ寿命に対しては十分ではない。
【０００８】
３ＧＰＰ標準規格のＲｅｌｅａｓｅ  １３では、１０．２４秒から、ＷＢ−ＥＵＴＡＮ  ＵＥではアイドルモードで最大２６２１．４４秒（〜４３．６９分）、ＮＢ−ＩｏＴ  ＵＥでは最大およそ３時間近くの長いＤＲＸ周期を可能にする、いわゆる拡張ＤＲＸ（ｅＤＲＸ：extended DRX）が定義されている。これは図１ｂに示され、図１ｂでは、アイドルモードにおいて長さＴｅＤＲＸのｅＤＲＸ周期で設定されたＵＥが、ｅＤＲＸ周期ごとに１回、ページング送信ウィンドウ（ＰＴＷ：paging transmission window）の間、ページングのために制御チャネルを監視する図を示す。ＰＴＷは、開始時間がページングハイパーフレーム（ＰＨ：paging hyper-frame）により定義される周期的なものである。ＰＨは、モビリティ管理エンティティ（ＭＭＥ−ＵＥの位置を追跡する役割を果たすコアネットワークノード）、ＵＥ、及びｅＮＢによって知られている方式に基づいており、ｅＤＲＸ周期及びＵＥ識別子の関数である。ＰＴＷの間、ＵＥはレガシＤＲＸ周期（ＴＤＲＸ）に従ってＰＴＷの期間中、又はページングメッセージがＵＥに受信されるまでの間のいずれか早い期間の間ページングを監視する。
【０００９】
拡張ＤＲＸは、（ＵＥ、基地局、及び参加しているＥＰＣノードを含む）全ての関連するノードがそれをサポートする場合、アイドルモードにおいてのみ使用され得る。これを容易にするために、識別子情報要素（eDRXAllowed IE）がシステム情報に導入されている。これは、アイドルモード拡張ＤＲＸがセルにおいて許可されているか否かを示すために、範囲内にあるＵＥに、ｅＤＲＸをサポートするｅＮＢによってブロードキャストされる（例えば、システム情報ブロック１（ＳＩＢ１：system information block 1）において）。したがって、ＵＥはｅＤＲＸＡｌｌｏｗｅｄがＴＲＵＥに設定される場合にのみｅＤＲＸを使用する。
【発明の概要】
【発明が解決しようとする課題】
【００１０】
しかしながら、本発明者らは、ＵＥがｅＤＲＸをサポートする基地局からｅＤＲＸをサポートしない基地局に任意のトラッキングエリア（ＴＡ：tracking area）内をアイドルモードにおいて移動する場合に問題が発生し得ることを認識した。この問題は、例えば、オペレータが任意のＴＡの全ての基地局を更新していない場合に起こり得る。
【００１１】
同様の問題は、ＵＥが、全ての基地局がｅＤＲＸをサポートする第１のＴＡ（ＴＡ＿ｘ）から全ての基地局がｅＤＲＸをサポートしない第２のＴＡ（ＴＡ−ｙ）に、ＵＥのＴＡリスト内で、トラッキングエリア（ＴＡ）間を移動する際にもまた生じ得る。この状況は、例えば、スモールセル基地局（例えば、ＬＰＮ）によって動作するスモールセルから成るＴＡ及びマクロ基地局によって動作するより大きな（「マクロ」）セルから成る別のＴＡを含む領域において生じ得る。ＵＥは典型的にはスモールセルとマクロセルとの間を移動し、したがってＴＡリスト内のマクロＴＡとスモールセルＴＡとの両方が設定されている。したがって、マクロ基地局がｅＤＲＸをサポートするように更新されたが、スモールセル基地局が更新されなかった場合に問題が生じ得る。同様に、任意のＵＥが家庭環境とオフィス環境との間を移動し、それらの環境のうちの１つにおいて一部の基地局のみがｅＤＲＸをサポートするように更新される場合、ＵＥは全ての基地局がｅＤＲＸをサポートするＴＡとすべての基地局がｅＤＲＸをサポートしない第２のＴＡとの間を定期的に移動する。
【００１２】
本発明は上記の問題を解決し、又は少なくとも部分的に対処する通信装置及び方法を提供するものである。
【００１３】
本発明者らは、セル間のアイドルモードモビリティに関連した問題に対処する方法について考慮する際、特に図２の手順がｅＤＲＸのために用いられた場合に起こり得ることの影響について考慮した。
【００１４】
図２の手順では、アイドルモードｅＤＲＸをサポートするＵＥは、ＵＥがｅＤＲＸをサポートするセル内にあり且つＳＩＢ１において対応するｅＤＲＸサポート基地局からｅＤＲＸ許可情報要素（eDRX allowed information element）を受け取った場合、ｅＤＲＸを使用することを要求し且つ関連するｅＤＲＸパラメータをネゴシエートし得る。ＵＥは、１つ又は複数の所望のｅＤＲＸパラメータをＭＭＥに送られる適切な要求メッセージに含めることによりｅＤＲＸの使用を要求し、アタッチ手順又はＴＡＵ（トラッキングエリア更新：Tracking Area Update）手順を開始する（例えば、アタッチ要求メッセージ（Attach Request message）又はＴＡＵ要求メッセージ（TAU Request message）において）。アイドルモードｅＤＲＸをサポートする（及び所望のパラメータに合意する）ＭＭＥは１つ又は複数の（合意された（agreed））ｅＤＲＸパラメータを関連する応答（例えば、アタッチ受付メッセージ（Attach Accept message）又はＴＡＵ受付メッセージ（TAU Accept message）において）に含めることにより要求を受け付けてもよい。その後アタッチ／ＴＡＵ手順は次のステップに進み、ＵＥは対応する完了メッセージをＭＭＥに送り（例えば、アタッチ完了メッセージ（Attach Complete message）又はＴＡＵ完了メッセージ（TAU Complete message））、この時点で処理を完了する。
【００１５】
ネットワーク及びＵＥは合意されたｅＤＲＸに関連するパラメータを格納し、いつＭＭＥがページングをトリガするためにページングメッセージを送るか、またいつＵＥがページングメッセージを監視するべきかを判断するために適宜それらを用いる。したがって、ＭＭＥが、ＵＥがダウンリンクデータを利用可能であることを示す次の通知を受け取った場合（例えば、サービングゲートウェイ（Ｓ−ＧＷ）から受信したダウンリンクデータ通知）、これがページングトリガとして機能し、その結果ＭＭＥが、適切なページングｅＤＲＸ情報を含む（例えば、ｅＤＲＸサイクル時間、ＴｅＤＲＸ、おそらくページング時間ウィンドウ期間）ページングメッセージを、対応するｅＤＲＸサポート基地局を含む、ＵＥのＴＡリストに属する基地局に送る。これにより、ｅＤＲＸサポート基地局は、それが動作しているセル内で、問題のＵＥに対するページングメッセージをブロードキャストするようにトリガされる。このページングをトリガするためにＭＭＥにより送られるページングメッセージはＰＴＷ内に送られてもよい（例えば、Ｓ−ＧＷからのページングトリガがＰＴＷ内に受け取られた場合）。あるいは、ＭＭＥは次のＰＴＷの直前にページングメッセージを送ってもよい。
【００１６】
したがって、ＵＥがページングを監視するためにｅＤＲＸ周期に従って起動する際、ｅＤＲＸサポート基地局によって送られたページングメッセージを受信する。
【００１７】
図３は、ＵＥがｅＤＲＸをサポートする基地局（ｅＮＢ−ｘ）からｅＤＲＸをサポートしない基地局（ｅＮＢ−ｙ）（例えば、同じトラッキングエリアの、又はＵＥのＴＡリストのＴＡに属する基地局）に移動するシナリオにおいて、図２の手順を使用して、本発明者らが起こり得ると予想する問題について説明する図である。
【００１８】
この例では、図２を参照して説明したように、アイドルモードｅＤＲＸをサポートするＵＥは、ＵＥがｅＤＲＸをサポートするセル内にあり且つＳＩＢ１において対応するｅＤＲＸサポート基地局からｅＤＲＸ許可情報要素を受け取った場合、ＭＭＥとアタッチ／ＴＡＵ手順に携わりｅＤＲＸの使用を可能にし、関連するｅＤＲＸパラメータをネゴシエートする。
【００１９】
しかしながら、この例では、ＵＥはその後ｅＤＲＸをサポートしない基地局（ｅＮＢ−ｙ）のセルに移動する（そして、ｅＤＲＸをサポートする場合、ＭＭＥとＴＡＵ手順を実行しない）。
【００２０】
ＵＥがｅＤＲＸをサポートしない基地局（ｅＮＢ−ｙ）からシステム情報（例えば、ＳＩＢ１）を受信する際、eDRX-Allowed-r13情報要素は存在しないことになる。したがって、ＵＥは、ｅＤＲＸを使用するべきではないと判断し、結果的に、図示したようにページングを監視するためにより頻繁に起動する。しかしながら、ＭＭＥに関する限り、ＵＥは依然として、ＵＥがｅＤＲＸサポート基地局（ｅＮＢ−ｘ）のセル内にある場合に行われたアタッチ／ＴＡＵ手順の間にネゴシエートされ且つ合意されたｅＤＲＸ設定を使用している。したがって、ＭＭＥは、ＵＥのＴＡリスト内にある基地局に対して、次のＰＴＷの直前又は次のＰＴＷの途中までＵＥのページングをトリガすることを試すことすらない。ＭＭＥがページングをトリガしない場合（次のＰＴＷの最中又は直前に）、非ｅＤＲＸサポート基地局（ｅＮＢ−ｙ）はページングｅＤＲＸ情報要素を認識せず、レガシＤＲＸ手順を使用してページングメッセージを送ることになる。
【００２１】
潜在的に長いｅＤＲＸ周期に鑑みると、これは、度々ＵＥがページングを監視するために起動する間の比較的長い時間であり得、極めて非効率である。
【００２２】
したがって、これはＵＥに到達するのに大幅な遅延を引き起こすことになり、望ましくない。
【００２３】
本発明者らは、図４に示したように、ＵＥがｅＤＲＸサポート基地局から非ｅＤＲＸ基地局に移動する場合はいつでもＴＡＵ要求を使用してｅＤＲＸを無効にする（又はＵＥが非ｅＤＲＸサポート基地局からｅＤＲＸ基地局に移動する場合はいつでもｅＤＲＸを有効にする）可能性について検討した。
【００２４】
この例では、アイドルモードｅＤＲＸをサポートするＵＥは、ＵＥがｅＤＲＸをサポートするセル内にあり且つ対応するｅＤＲＸサポート基地局からＳＩＢ１においてｅＤＲＸ許可情報要素を受信した場合、図２を参照して説明したように、ＭＭＥとアタッチ／ＴＡＵ手順に携わり、ｅＤＲＸの使用を許可し、且つ関連するｅＤＲＸパラメータをネゴシエートする。
【００２５】
しかしながら、この例では、ＵＥがeDRX-Allowed-r13情報要素を含まないシステム情報（例えば、ＳＩＢ１）を、ｅＤＲＸをサポートしない基地局（ｅＮＢ−ｙ）から受け取る場合、ＵＥはｅＤＲＸを使用するべきではないと判断し、ｅＤＲＸを無効にするためにＭＭＥと共にＴＡＵ手順を実行する。したがって、ＭＭＥは、ＵＥがｅＮＢ−ｘのセル内にあった際に行われたアタッチ／ＴＡＵ手順の間にネゴシエートされ且つ合意されたｅＤＲＸ設定をもはや使用していないことを認識している。したがって、ＭＭＥがトラッキングエリア内にあるＵＥのページングをトリガする必要がある場合、レガシページングＤＲＸ情報要素を含むページングメッセージを、ＵＥのＴＡリストの基地局のそれぞれに送ることによって、通常のＤＲＸを用いてそれを行うことができる。
【００２６】
しかしながら、これは図３の例よりもより速くＵＥがページングを受け付けることができるという利点を有するものの、ＴＡＵ手順をより頻繁に行うことになり、それは電力消費の点から望ましくない（特にＩｏＴデバイス等の低電力ＵＥにとって）。
【課題を解決するための手段】
【００２７】
本発明の一態様では、セルラ通信システムのためのコアネットワーク通信ノードが提供され、セルラ通信システムのためのコアネットワーク通信ノードであって、該コアネットワーク通信ノードは、コントローラとトランシーバとを備え、前記コントローラは、それぞれが前記セルラ通信システムの少なくとも１つのセルを動作させる複数の通信装置を含む少なくとも１つのトラッキングエリアを識別するための情報を保持し、前記セルラ通信システムの前記少なくとも１つのトラッキングエリアの少なくとも１つの通信装置がｅＤＲＸ（extended discontinuous reception）をサポートするという少なくとも１つの指示を受信するように前記トランシーバを制御し、通信デバイスに対してページングが要求されていること及び当該通信デバイスが前記少なくとも１つのトラッキングエリアの通信装置のセルに位置すると判定し、ｅＤＲＸのサポートの指示が受信されない前記少なくとも１つのトラッキングエリアの通信装置を介して、ｅＤＲＸに固有でないＤＲＸ（discontinuous reception）情報に応じて前記通信デバイスのページングをトリガし、ｅＤＲＸのサポートの指示が受信された前記少なくとも１つのトラッキングエリアの各通信装置を介して、ｅＤＲＸ固有の情報に応じて前記通信デバイスのページングをトリガする。
【００２８】
本発明の一態様では、セルラ通信システムのためのコアネットワーク通信ノードが提供され、該コアネットワーク通信ノードは、コントローラとトランシーバとを備え、前記コントローラは、それぞれが前記セルラ通信システムの少なくとも１つのセルを動作させる複数の通信装置を含む少なくとも１つのトラッキングエリアを識別するための情報を保持し、前記セルラ通信システムの前記少なくとも１つのトラッキングエリアの少なくとも１つの通信装置がｅＤＲＸ（extended discontinuous reception）をサポートするという少なくとも１つの指示を受信するように前記トランシーバを制御し、前記少なくとも１つのトラッキングエリアの通信装置のセルに位置する通信デバイスから、ｅＤＲＸを有効にするための情報を含む要求メッセージを受信し、前記少なくとも１つのトラッキングエリアの全ての前記複数の通信装置がｅＤＲＸをサポートすることを示しているか否かを判定し、前記コントローラが、前記少なくとも１つのトラッキングエリアの全ての前記複数の通信装置がｅＤＲＸをサポートすることを示しているわけではないと判定した場合、ｅＤＲＸを有効にすることを拒否するメッセージを前記通信デバイスに送信するように前記トランシーバを制御し、前記コントローラが、前記少なくとも１つのトラッキングエリアの全ての前記複数の通信装置がｅＤＲＸをサポートすることを示していると判定した場合、ｅＤＲＸを有効にすることを受け入れるメッセージを前記通信デバイスに送信するように前記トランシーバを制御する。
【００２９】
本発明の一態様では、セルラ通信システムの少なくとも１つのセルを動作させるための通信装置が提供され、該通信装置は、コントローラとトランシーバとを備え、前記コントローラは、前記セル内の通信デバイスにより、ｅＤＲＸ（extended discontinuous reception）の使用に対するサポートを提供し、前記通信装置がｅＤＲＸをサポートするという指示をコアネットワーク通信ノードに提供するように前記トランシーバを制御する。
【００３０】
本発明の一態様では、セルラ通信システムのためのコアネットワーク通信ノードが提供され、該コアネットワーク通信ノードは、コントローラとトランシーバとを備え、前記コントローラは、それぞれが前記セルラ通信システムの少なくとも１つのセルを動作させる複数の通信装置を含む少なくとも１つのトラッキングエリアを識別するための情報を保持し、通信デバイスが位置しているセルを動作する通信装置がｅＤＲＸをサポートしているか否かに関わらず、ｅＤＲＸ（extended discontinuous reception）が使用されるという指示を、前記少なくとも１つのトラッキングエリアの通信装置のセルに位置する通信デバイスに送信するように前記トランシーバを制御し、ｅＤＲＸ設定に応じて前記通信デバイスにおいてｅＤＲＸを使用することを可能にするために前記通信デバイスと通信するように前記トランシーバを制御し、前記通信デバイスに対してページングが要求されていることを判定し、前記ｅＤＲＸ設定に応じて、ＰＴＷ（ページング送信ウィンドウ）内において、又は直前において、前記少なくとも１つのトラッキングエリアの前記複数の通信装置を介して、前記通信デバイスのページングをトリガする。
【００３１】
本発明の一態様では、セルラ通信システムのための通信デバイスが提供され、該通信デバイスは、コントローラとトランシーバとを備え、前記コントローラは、コアネットワーク通信ノードから、前記通信デバイスが位置しているセルを動作する通信装置がｅＤＲＸをサポートしているか否かに関わらず、ｅＤＲＸ（extended discontinuous reception）が使用されるという指示を受信するように前記トランシーバを制御し、前記通信デバイスが位置している前記セルを動作する前記通信装置がｅＤＲＸをサポートしているか否かに関わらず、ｅＤＲＸ設定に応じて前記通信デバイスにおいてｅＤＲＸの使用を可能にするために前記コアネットワーク通信ノードと通信するように前記トランシーバを制御し、前記ｅＤＲＸ設定に応じて、ＰＴＷ（paging transmission window）の間、ページングメッセージを監視するために前記トランシーバを起動するように制御する。
【００３２】
本発明の一態様では、セルラ通信システムの少なくとも１つのセルを動作させるための通信装置が提供され、該通信装置は、コントローラとトランシーバとを備え、前記コントローラは、コアネットワーク通信ノードから、ｅＤＲＸ設定に応じて、ＰＴＷ（paging transmission window）内において、又は直前において、通信デバイスのページングをトリガするためのメッセージを受信するように前記トランシーバを制御し、ｅＤＲＸに固有でないＤＲＸ（discontinuous reception）情報に応じて、前記セルにおいてページングメッセージを送信するように前記トランシーバを制御し、前記トランシーバが前記ＰＴＷの終わりにおいて前記セルに前記ページングメッセージを送信することを停止する。
【００３３】
本発明の一態様では、セルラ通信システムにおいてコアネットワーク通信ノードにより実行される方法が提供され、該方法は、それぞれが前記セルラ通信システムの少なくとも１つのセルを動作させる複数の通信装置を含む少なくとも１つのトラッキングエリアを識別するための情報を保持することと、前記セルラ通信システムの前記少なくとも１つのトラッキングエリアの少なくとも１つの通信装置がｅＤＲＸ（extended discontinuous reception）をサポートするという少なくとも１つの指示を受信することと、通信デバイスに対してページングが要求されていること及び当該通信デバイスが前記少なくとも１つのトラッキングエリアの通信装置のセルに位置すると判定することと、ｅＤＲＸのサポートの指示が受信されない前記少なくとも１つのトラッキングエリアの通信装置を介して、ｅＤＲＸに固有でないＤＲＸ（discontinuous reception）情報に応じて前記通信デバイスのページングをトリガすることと、ｅＤＲＸのためのサポートの指示が受信された前記少なくとも１つのトラッキングエリアの各通信装置を介して、ｅＤＲＸ固有の情報に応じて前記通信デバイスのページングをトリガすることと、を含む。
【００３４】
本発明の一態様では、セルラ通信システムにおいてコアネットワーク通信ノードにより実行される方法が提供され、該方法は、それぞれが前記セルラ通信システムの少なくとも１つのセルを動作させる複数の通信装置を含む少なくとも１つのトラッキングエリアを識別するための情報を保持することと、前記セルラ通信システムの前記少なくとも１つのトラッキングエリアの少なくとも１つの通信装置がｅＤＲＸ（extended discontinuous reception）をサポートするという少なくとも１つの指示を受信することと、前記少なくとも１つのトラッキングエリアの通信装置のセルに位置する通信デバイスから、ｅＤＲＸを有効にするための情報を含む要求メッセージを受信することと、前記少なくとも１つのトラッキングエリアの全ての前記複数の通信装置がｅＤＲＸをサポートすることを示しているか否かを判定することと、前記コントローラが、前記少なくとも１つのトラッキングエリアの全ての前記複数の通信装置がｅＤＲＸをサポートすることを示しているわけではないと判定した場合、ｅＤＲＸを有効にすることを拒否するメッセージを前記通信デバイスに送信することと、前記コントローラが、前記少なくとも１つのトラッキングエリアの全ての前記複数の通信装置がｅＤＲＸをサポートすることを示していると判定した場合、ｅＤＲＸを有効にすることを受け入れるメッセージを前記通信デバイスに送信することと、を含む。
【００３５】
本発明の一態様では、セルラ通信システムの少なくとも１つのセルを動作させる通信装置により実行される方法が提供され、該方法は、前記セル内にある通信デバイスによってｅＤＲＸ（extended discontinuous reception）の使用に対するサポートを提供することと、前記通信装置がｅＤＲＸをサポートするという指示をコアネットワーク通信ノードに提供することと、を含む。
【００３６】
本発明の一態様では、セルラ通信システムにおいてコアネットワーク通信ノードにより実行される方法が提供され、該方法は、それぞれが前記セルラ通信システムの少なくとも１つのセルを動作させる複数の通信装置を含む少なくとも１つのトラッキングエリアを識別するための情報を保持することと、通信デバイスが位置しているセルを動作する通信装置がｅＤＲＸをサポートしているか否かに関わらず、ｅＤＲＸ（extended discontinuous reception）が使用されるという指示を、前記少なくとも１つのトラッキングエリアの通信装置のセルに位置する通信デバイスに送信すること、前記通信デバイスと通信して、ｅＤＲＸ設定に応じて前記通信デバイスにおけるｅＤＲＸの使用を有効にするために前記通信デバイスと通信することと、前記通信デバイスに対してページングが要求されていることを判定することと、前記ｅＤＲＸ設定に応じて、ＰＴＷ（ページング送信ウィンドウ）内において、又は直前において、前記少なくとも１つのトラッキングエリアの前記複数の通信装置を介して、前記通信デバイスのページングをトリガすることと、を含む。
【００３７】
本発明の一態様では、セルラ通信システムにおいて通信装置により実行される方法が提供され、該方法は、コアネットワーク通信ノードから、前記通信デバイスが位置しているセルを動作する通信装置がｅＤＲＸをサポートしているか否かに関わらず、ｅＤＲＸ（extended discontinuous reception）が使用されるという指示を受信することと、前記通信デバイスが位置している前記セルを動作する前記通信装置がｅＤＲＸをサポートしているか否かに関わらず、ｅＤＲＸ設定に応じて前記通信デバイスにおいてｅＤＲＸの使用を有効にするために前記コアネットワーク通信ノードと通信することと、前記ｅＤＲＸ設定に応じて、ＰＴＷ（paging transmission window）の間、ページングメッセージを監視するために起動することと、を含む。
【００３８】
本発明の一態様では、セルラ通信システムの少なくとも１つのセルを動作させる通信装置により実行される方法が提供され、該方法は、通信デバイスのページングをトリガするためのメッセージを、ｅＤＲＸ設定に応じて、ＰＴＷ（paging transmission window）内において、又は直前において、コアネットワーク通信ノードから受信することと、ｅＤＲＸに固有でないＤＲＸ（discontinuous reception）情報に応じて、前記セルにおいてページングメッセージを送信することと、前記トランシーバが前記ＰＴＷの終わりにおいて前記セルに前記ページングメッセージを送信することを停止することと、を含む。
【００３９】
本発明の一態様では、上記のいずれかの態様に記載の少なくとも１つのコアネットワークノード、セルを動作させる少なくとも１つの通信装置、及び少なくとも１つの通信デバイスを含む通信システムが提供される。
【００４０】
本発明の一態様では、少なくとも１つのコアネットワークノード、上記のいずれかの態様に記載の少なくとも１つの通信装置、及び少なくとも１つの通信デバイスを含む通信システムが提供される。
【００４１】
本発明の一態様では、少なくとも１つのコアネットワークノード、セルを動作させる少なくとも１つの通信装置、及び上記のいずれかの態様に記載の少なくとも１つの通信デバイスを含む通信ステムが提供される。
【００４２】
本発明の態様は、コンピュータ可読記憶媒体等のコンピュータプログラム製品にも及び、このコンピュータプログラム製品は、プログラム可能なプロセッサをプログラムして上記の又は請求項に記載の態様および可能な形態（ｐｏｓｓｉｂｉｌｉｔｉｅｓ）に記載の方法を実行するように、及び／又は適切に適合されたコンピュータをプログラムして請求項のいずれかに記載の装置を提供するように動作可能な命令を格納する。
【００４３】
本明細書（請求項も含む）において開示し、且つ／又は図面に示す各特徴は独立して（又は他の開示した且つ／又は説明した特徴と組み合わせて）本発明に組み込まれてもよい。特に、限定するものではないが、特定の独立請求項に従属するいずれかの請求項の特徴は、その独立請求項に任意の組み合わせで又は個別に導入され得る。
【００４４】
方法及び／又は装置に関して本明細書で使用する「レガシ」という用語は、本願の優先日において関連規格に精通した者に知られている方法及び／又は装置を指し、特に、排他的ではないが、優先日の時点で標準化されている方法及び／又は装置を指す（例えば、関連する３ＧＰＰ標準規格のＲｅｌｅａｓｅ  １３又はそれ以前のものにおいて標準化されたもの、ただしそれに限定されない）ことが理解されよう。
【００４５】
特定の物理的構成（例えば、コントローラ及びトランシーバ回路）を有する特定のハードウェア装置が本明細書に記載される様々な手順を実行するために開示されているが、明細書に開示されている及び／又は特許請求の範囲の一部を形成する方法の各ステップはこのステップを実行するための任意の適切な手段によって実施され得る。これによれば、本発明の各方法態様は、その方法態様の各ステップを実行するためのそれぞれの手段を含む対応する装置態様を有する。
【００４６】
本発明の実施形態は、添付の図面を参照して例示としてのみ説明される。
【図面の簡単な説明】
【００４７】
【図１】図１は、（ａ）ＤＲＸページングシステム、及び（ｂ）拡張ＤＲＸページングシステムを示す図である。
【図２】拡張ＤＲＸメカニズムに従ったページングを示す、簡略化したメッセージシーケンス図である。
【図３】ｅＤＲＸサポート基地局及び非ｅＤＲＸサポート基地局の両方に関するあるシナリオにおける、拡張ＤＲＸメカニズムに従ったページングを示す、簡略化したメッセージシーケンス図である。
【図４】ｅＤＲＸサポート基地局及び非ｅＤＲＸサポート基地局の両方に関する別のシナリオにおける、拡張ＤＲＸメカニズムに従ったページングを示す、簡略化したメッセージシーケンス図である。
【図５】本発明の実施形態が適用されるセルラ電気通信システムを概略的に示す図である。
【図６】図５に示すシステムの一部を構成し得るＵＥの簡略化したブロック図である。
【図７】図５に示すシステムの一部を構成し得る基地局の簡略化したブロック図である。
【図８】図５に示すシステムの一部を構成し得るモビリティ管理エンティティの簡略化したブロック図である。
【図９】図５に示すシステムにおいて実施され得る１つの例示的な方法を例示する簡略化したメッセージシーケンス図である。
【図１０】図５に示すシステムにおいて実施され得る別の例示的な方法を例示する簡略化したメッセージシーケンス図である。
【図１１】図５に示すシステムにおいて実施され得るさらに別の例示的な方法を例示する簡略化したメッセージシーケンス図である。
【図１２】図５に示すシステムにおいて実施され得るさらに別の例示的な方法を例示する簡略化したメッセージシーケンス図である。
【発明を実施するための形態】
【００４８】
概要
図５は、Ｅ−ＵＴＲＡ無線アクセス技術（ＲＡＴ）を用いてＥ−ＵＴＲＡＮ  基地局５−１、５−２とコアネットワーク７とを介してＩｏＴデバイス３−１（例えば、ＮＢ−ＩｏＴデバイス）と他のＵＥ３−２、３−３（例えば、携帯電話）が互いに通信及び／又は他の通信デバイスと通信を行う電気通信ネットワーク１を概略的に示す図である。当業者には理解されるように、説明の目的で図５には１つのＩｏＴデバイス３−１、２つの他のＵＥ３−２、３−３、及び２つの基地局５−１、５−２を示しているが、システムは、実装時には、典型的には他の基地局及び通信デバイスを含む。図５の電気通信ネットワーク１では、ｅＤＲＸは、特に図１ｂ及び図２を参照して上で説明したように使用され得る。
【００４９】
各基地局５は１つ又は複数の関連セルを動作させる。この例では、第１の基地局５−１は「Ｃｅｌｌ  １」を動作させ、第２の基地局５−２は「Ｃｅｌｌ  ２」を動作させる。通信デバイスは、（データを送ったり受け取ったりしない）無線リソース制御（ＲＲＣ：radio resource control）アイドルモードにあるセルに存在してもよく、又はいずれかのセルに（それらの位置によって異なり、例えば、信号状態、加入データ、能力等、他の要因により可能である）、そのセルを動作させる適切な基地局５との無線リソース制御（ＲＲＣ）接続を確立することにより、接続してもよい。
【００５０】
図５では、ＩｏＴデバイス３−１はアイドルモードであり、基地局５−１によって動作されるセル１と基地局５−２によって動作されるセル２との間で移動する（及び滞在する（camp on））ことができる。したがって、（データを送信／受信しない）ＲＲＣアイドルモードで動作する場合には、ＩｏＴデバイス３−１は最良の信号品質を有するセルに滞在し、ＲＲＣアクティブモードで動作する場合には、ＩｏＴデバイス３−１はそのセルを介してデータの通信を行う。
【００５１】
基地局５−１、５−２はＳ１インタフェースを介してコアネットワーク７に、またＸ２インタフェース（図示しない）を介して互いに接続する。この例では、基地局５は同じトラッキングエリア（ＴＡ）に又は少なくともＵＥのＴＡリストにリストされているトラッキングエリアに属している。図５に示す基地局の１つは、それが動作するセル（ｃｅｌｌ  １）における拡張ＤＲＸに基づくページングを使用することができるｅＤＲＸサポート基地局（ｅＮＢ−ｘ）５−１である。しかしながら、図示する他の基地局５−２はｅＤＲＸをサポートせず、レガシ（非拡張）ＤＲＸ周期のみをサポートすることができるものである。
【００５２】
モビリティ管理エンティティ（ＭＭＥ）９はコアネットワーク７に位置しており、通信ネットワーク内でアイドルモードにあるＵＥ（例えば、携帯電話及びＩｏＴデバイス３−１）の位置を追跡する役割を果たすネットワークノードである。特に、ＭＭＥ９は移動通信デバイスの最後の既知のセル（又はトラッキングエリア）の識別子を格納し、その結果、最後の既知のセル（又は最後の既知のトラッキングエリアのセル）においてブロードキャストされたページングメッセージを使用して（音声又はデータの）着呼がある際に通知される（「ページングされる」）。したがって、ページングされたＵＥがページングメッセージに応答する場合、特定の移動通信デバイスに現在サービスを提供している基地局５を介して通信経路を設定するために適切なＲＡＣＨ（ランダムアクセスチャネル）手順を完了することができる。図示するＭＭＥ９は、拡張された間欠受信（例えば、関連する３ＧＰＰ標準規格のＲｅｌｅａｓｅ  １３において定義されるｅＤＲＸ）と従来の間欠受信（例えば、関連する３ＧＰＰ標準規格のＲｅｌｅａｓｅ  １３又はそれ以前のものにおいて定義されるＤＲＸ）との両方をサポートするように構成されている。
【００５３】
サービングゲートウェイ（Ｓ−ＧＷ）１１はまたコアネットワーク７に位置している。Ｓ−ＧＷ１１はコアネットワーク７におけるメインパケットルーティング及び転送ノードである。Ｓ−ＧＷ１１は、Ｓ１１インタフェースを介してＭＭＥ９に、またＳ１−Ｕインタフェースを介して基地局５に接続する。
【００５４】
有利には、この例では、ｅＤＲＸをサポートする基地局５−１はＭＭＥ９に（例えば、基地局からＭＭＥへの、適切にフォーマットされたＳＩ−ＡＰメッセージを使用して）ｅＤＲＸをサポートすることを通知するように構成される。したがって、ＭＭＥ９はｅＤＲＸをサポートする基地局５−１がｅＤＲＸをサポートすることを判定することができ、かつこのサポートの記録を保持することができる。さらに、ＭＭＥ９はｅＤＲＸをサポートする基地局５−１がｅＤＲＸをサポートすると判定することができるため、ＭＭＥ９は、暗に、非ｅＤＲＸサポート基地局５−２がｅＤＲＸをサポートしないと判定することができる（任意のＵＥのＴＡ、又は任意のＵＥのＴＡリストに属しているＴＡに属している全てのｅＤＲＸをサポートする基地局がＭＭＥ９にそのようなサポートを通知すると仮定する）。いくつかのｅＤＲＸサポート基地局がそれらのｅＤＲＸサポートの通知をＭＭＥ９に提供しなかったとしても、ＭＭＥ９は暗に、ｅＤＲＸサポートが知られていない（そしてそれゆえ保証されていない）基地局を識別することができる。
【００５５】
この例では、異なるページングタイミングがｅＤＲＸサポートに応じて用いられ得る。具体的には、以下でさらに詳細に説明するように、ＭＭＥ９は、ＵＥ３をページングするように要求されるとＵＥ及び基地局のｅＤＲＸ機能の両方を考慮するように構成されている。ＭＭＥ９は、ＵＥのＴＡ又はＴＡリストにある各ｅＤＲＸサポート基地局を含む第１の基地局グループと、ｅＤＲＸをサポートしない（又はｅＤＲＸが保証されない）ＵＥのＴＡ又はＴＡリストにある各基地局を含む第２の基地局グループとを識別するように構成されている。したがって、有利には、ＭＭＥ９は、任意の合意されたｅＤＲＸパラメータに従って第１のグループ内の各基地局のページングをトリガすることによって（例えば、関連するＰＴＷ内に、又はその直前に）、また従来の（レガシ）ＤＲＸパラメータ及び手順に従って第２のグループ内の各基地局のページングをトリガすることによって（例えば、ＭＭＥ９が、ダウンリンクデータがＵＥへの送信を待っているという通知をＳ−ＧＷ１１から受信するとすぐに）、各グループの基地局をそれぞれ異なるように取り扱ってもよい。
【００５６】
別の例では、以下でより詳細に説明するように、ＭＭＥ９は、ＵＥがｅＤＲＸパラメータを使用することを希望していることを示すｅＤＲＸパラメータを含むアタッチ又はＴＡＵ要求を受信した場合、ＵＥのＴＡ（又はＴＡリスト）にあるすべての基地局がｅＤＲＸをサポートしている場合にのみ、アタッチ／ＴＡＵ要求においてｅＤＲＸを有効にするための要求を受け入れるように構成されている。そうでない場合、ＭＭＥ９はアタッチ／ＴＡＵ要求においてｅＤＲＸを有効にするための要求を拒否するように構成されている。前述の例のように、この例では、各ｅＤＲＸサポート基地局は、ＭＭＥ９に、それがｅＤＲＸをサポートしていることを知らせ、それによりＭＭＥ９はｅＤＲＸサポート基地局及び非ｅＤＲＸサポート基地局を識別することができるように構成されている。
【００５７】
この例には、たとえｅＤＲＸの受付／拒否のための付加的なＭＭＥ機能を犠牲にしても、全ての基地局の間で同じページング時間が使用され得るという利点がある。
【００５８】
さらに別の有利な例では、以下でより詳細に説明するように、ＭＭＥ９は、基地局からｅＤＲＸサポート（又は非サポート）に関する通知を受け取らなくてもよい。代わりに、ＭＭＥ９は、ページング送信ウィンドウを制御し、ｅＤＲＸの使用は事実上基地局においては見えないものである。この例では、もしｅＤＲＸを有効にするための要求をＭＭＥ９が受け付ける場合、ＵＥ３は、システム情報（例えば、ＳＩＢ１）がｅＤＲＸサポートの指示（例えば、システム情報においてeDRX-Allowed-r13が存在しているか否かに関わらず）を含むか否かに関わらずｅＤＲＸを有効にするように構成されている。
【００５９】
この例では、ＭＭＥ９は、基地局がｅＤＲＸをサポートするか否かに関わらず、ＵＥ３にｅＤＲＸが有効になっていることを知らせるためにメッセージ（例えば、非アクセス層（ＮＡＳ：non-access stratum）メッセージ）を送るように構成されている。好都合には、このメッセージは、ｅＤＲＸパラメータと、ｅＤＲＸに対する基地局のサポートとは無関係にＵＥ３がｅＤＲＸを使用し続けることができることを示す別の指示とを含むアタッチ／ＴＡＵ受付メッセージの形態であってもよい。好都合には、これはＭＭＥ９がｅＤＲＸを使用するためのＵＥの能力を既に認識している場合に暗に起こり得る（例えばＵＥ３からの、ｅＤＲＸを有効にすることを要求する以前の成功した要求に続いて）。このメッセージは、ｅＤＲＸパラメータを含むがｅＤＲＸを有効にすることを要求しないＵＥ３からのアタッチ／ＴＡＵに対する要求に対して送られる（ｅＤＲＸパラメータを含むことにより）アタッチ／ＴＡＵ受付メッセージの形態であってもよい。したがって、ＵＥ３がｅＤＲＸパラメータを含むアタッチ／ＴＡＵ受付メッセージを受信すると、基地局がｅＤＲＸをサポートするか否かに関わらずｅＤＲＸが有効になっていることを知ることになる。
【００６０】
ページングが要求されると、ＭＭＥ９は、ＰＴＷの期間内に又はその直前にページングトリガを送って基地局における従来の（レガシ）ＤＲＸページングをトリガする。したがって、基地局に関する限り、ページングトリガは単に従来の（レガシ）ＤＲＸページングをトリガし、これに従ってページングメッセージを送信する。したがって、ｅＤＲＸの有効化を正常に要求したＵＥ３は、ＵＥ３がｅＤＲＸをサポートしない（ＵＥのＴＡリストに属する）基地局（例えば、ｅＤＲＸサポートの指示を含むシステム情報をブロードキャストしない基地局）に移動するか否かに関わらず、合意されたｅＤＲＸパラメータに従ってページングメッセージを監視するために常に起動している。
【００６１】
この例の実施を容易にするために、ＭＭＥ９は少なくも緩やかに基地局と同期し、したがってネットワーク１のＵＥ３と同期する（例えば、ＨＦＮ（ハイパーフレーム番号：hyper-frame number）／ＳＦＮ（システムフレーム番号：system frame number）は少なくとも緩やかに同期する）。基地局とＭＭＥとの間のこの緩やかな同期は、既にｅＤＲＸ有効システム（ｅｎａｂｌｅｄ  ｓｙｓｔｅｍｓ）の特徴（機能）である。したがって、ＭＭＥ９は、大まかにＰＴＷ［ＨＦＮ、ＳＦＮ］を計算することできる。より正確な同期を可能にするために、この例では、基地局においてＰＴＷの制御がないことを考慮すると、ＨＦＮカウンタ（ＳＦＮカウンタでもよい）は、ＭＭＥ９において実装されてもよい。したがって、カウンタの値は、基地局におけるＨＦＮカウンタ値とほぼ同時に更新することができる。
【００６２】
ＨＦＮはｅＤＲＸにブロードキャストされるシステム情報にのみ存在するため、ｅＤＲＸをサポートしない基地局のためにブロードキャストされたＨＦＮは現在存在しない。したがって、有利な例では、ＵＥはｅＤＲＸをサポートする基地局のＨＦＮをＰＴＷの計算のために用いる。代替的には（又は付加的には）、ＵＥとＭＭＥ９との間にはＨＦＮ構成／同期があり得る。
【００６３】
この例は、ＵＥが滞在するセルを動作させる基地局がｅＤＲＸをサポートしないとしてもかなりの消費電力を節約できるという利点がある。この例はまた、基地局に対するｅＤＲＸの影響を低減することができる。
【００６４】
通信デバイス
図６は、図５に示す通信デバイス（ＵＥ）３の主な要素を示すブロック図である。通信デバイス３は、ＩｏＴ装置又は他のＵＥ（例えば、携帯（又は「セルラ」）電話）であってもよい。通信デバイス３は、少なくとも１つのアンテナ３３を介して基地局５に信号を送信し、また基地局５から信号を受信するように動作可能であるトランシーバ回路３１を含む。典型的には、通信デバイス３はまた、ユーザが通信デバイス３と対話することを可能にするユーザインタフェース３５を含む。しかしながら、このユーザインタフェース３５はＩｏＴデバイスによっては設けられていなくてもよい。
【００６５】
図６には必ずしも図示していないが、当然ながらＵＥ３は、セルラ電話網ＵＥの通常の機能の全てを有し、これは適宜ハードウェア、ソフトウェア、及びファームウェアのいずれか１つ又はそれらの組み合わせによって提供され得る。
【００６６】
トランシーバ回路３１の動作は、メモリ３９に格納されたソフトウェアに従ってコントローラ３７により制御される。ソフトウェアは、特に、オペレーティングシステム４１、通信制御モジュール４３、間欠受信モジュール４５、及びページングモジュール４７を含む。メモリ３９はまた、典型的にはＵＥ３が移動するトラッキングエリアのＴＡリスト４９を格納する。ソフトウェアはメモリ３９内に予めインストールされてもよく、且つ／又は例えば電気通信ネットワーク１を介して、又はＲＭＤ（取り外し可能なデータ記憶装置）からダウンロードされてもよい。
【００６７】
通信制御モジュール４３は通信デバイス３と基地局５及び／又は他の通信ノードとの通信を（基地局５を介して）制御する。
【００６８】
間欠受信モジュール４５は、例えば、ＤＲＸ周期及びページング機会の設定、記録（追跡）、適切なタイミングでページングメッセージを監視するための起動の開始等、ＵＥ３におけるＤＲＸ関連の機能を管理するように動作可能である。ＵＥ３がｅＤＲＸをサポートする場合、このモジュールは、例えば、ＭＭＥ９と合意したｅＤＲＸ固有のパラメータの設定及び管理、及び基地局から受け取ったシステム情報に基づいてｅＤＲＸが許可されるか否かの判断等（及び適用可能な場合には、基地局トランスパレントｅＤＲＸ（base station transparent eDRX）有効化の指示のＭＭＥ９からの受信）の拡張ＤＲＸ固有の機能に対処するように構成されている。
【００６９】
ページングモジュール４７は、基地局５によりブロードキャストされるページングメッセージを受信し、それに返答する等、ＵＥ３においてページング関連の機能を管理するように動作可能である。
【００７０】
基地局
図７は、図５に示す基地局５の主な要素を示すブロック図である。基地局５は、１つ又は複数のアンテナ５３を介して通信デバイス３に信号を送信し、また信号を通信デバイス３から受信するように動作可能であるトランシーバ回路５１を含むＥ−ＵＴＲＡＮ基地局（ｅＮＢ）を含む。基地局５はまた、適切なコアネットワークインタフェース５５（Ｓ１インタフェース等）を介してコアネットワーク７に信号を送信し、また信号を受信するように動作可能である。
【００７１】
図７には必ずしも図示していないが、当然ながら基地局５はセルラ電話網基地局の通常の機能の全てを有し、これは適宜ハードウェア、ソフトウェア、及びファームウェアのいずれか１つ又はそれらの組み合わせによって提供され得る。
【００７２】
トランシーバ回路５１の動作は、メモリ５９に格納されたソフトウェアに従ってコントローラ５７により制御される。ソフトウェアは、特に、オペレーティングシステム６１、通信制御モジュール６３、間欠受信制御モジュール６５、及びページング制御モジュール６６を含む。ソフトウェアはメモリ５９に予めインストールされてもよく、且つ／又は例えば電気通信ネットワーク１を介して、又はＲＭＤ（取り外し可能なデータ記憶装置）からダウンロードされてもよい。
【００７３】
通信制御モジュール６３は、（ＩｏＴデバイスを含む）通信デバイス３との通信を制御する。
【００７４】
間欠受信制御モジュール６５は、基地局５において、例えば、ＤＲＸ周期及びページング機会の設定・記録（追跡）、及び適切なタイミングでのページングメッセージの送信のためのページング制御モジュール６６との通信など、ＤＲＸ関連の機能を管理するように動作可能である。基地局５がｅＤＲＸをサポートする場合には、このモジュールは、例えば、ｅＤＲＸ固有のパラメータの受信及び管理（及び適用可能な場合にはｅＤＲＸサポートの指示のＭＭＥ９への送付）等の拡張ＤＲＸ固有の機能に対処するように構成される。
【００７５】
ページング制御モジュール６６は、基地局５において、例えば間欠受信制御モジュール６５との適切な通信に基づいて、適切なタイミングで、ＭＭＥ９からのページングトリガメッセージの受信及び解釈、並びにページングメッセージの送信（及び送信の停止）の制御等、ページング関連の機能を管理するように動作可能である。
【００７６】
ＭＭＥ
図８は、図５に示すモビリティ管理エンティティ９の主な要素を示すブロック図である。図示するように、モビリティ管理エンティティ９は、基地局インタフェース７５（例えば、Ｓ１インタフェース）を介して基地局５（及び／又は基地局５に接続する通信デバイス）に信号を送信し、また基地局５から信号を受信するトランシーバ回路７１を有する。
【００７７】
モビリティ管理エンティティ９は、モビリティ管理エンティティ９の動作を制御するためのコントローラ７７を有する。コントローラ７７は、メモリ７９に関連付けられている。図８には必ずしも図示していないが、当然ながらモビリティ管理エンティティ９はセルラ電話網モビリティ管理エンティティの通常の機能の全てを有し、これは適宜ハードウェア、ソフトウェア、及びファームウェアのいずれか１つ又はそれらの組合せにより提供されてもよい。ソフトウェアは、メモリ７９に予めインストールされていてもよく且つ／又は例えば電気通信ネットワーク１を介して、又はＲＭＤ（取り外し可能なデータ記憶装置）からダウンロードされてもよい。
【００７８】
コントローラ７７は、この例では、メモリ７９内に格納されたプログラム命令又はソフトウェア命令によりモビリティ管理エンティティ９の全体的な動作を制御するように構成されている。図示するように、これらのソフトウェア命令は、特に、オペレーティングシステム８１、通信制御モジュール８３、間欠受信制御モジュール８５、及びページングトリガモジュール８８を含む。
【００７９】
通信制御モジュール８３は、モビリティ管理エンティティ９と基地局５、ＵＥ３、及びモビリティ管理エンティティ９に接続された他のネットワークエンティティとの間の通信を制御するように動作可能である。
【００８０】
間欠受信制御モジュール８５は、ＭＭＥ９において、例えば、ＤＲＸ周期の設定・記録（追跡）、適切なタイミングでのページングトリガメッセージの送信のためのページングトリガモジュール８８との通信等ＤＲＸ関連の機能を管理するように動作可能である。ＭＭＥ９がｅＤＲＸをサポートする場合には、このモジュールは、例えば、ＵＥ３からｅＤＲＸを有効にする要求の処理、ｅＤＲＸパラメータのネゴシエーション／合意、およびＰＴＷに従ったｅＤＲＸページングトリガのタイミングの制御（及び適用可能な場合には、ＵＥ３への基地局トランスパレントｅＤＲＸ有効化の指示の送信）等の拡張ＤＲＸ固有の機能に対処するように設定される。
【００８１】
ページングトリガモジュール８８は、ＭＭＥ９において、例えば、間欠受信制御モジュール８５との適切な通信に基づいて、適切なタイミングで、Ｓ−ＧＷ１１からのダウンリンクデータ通知の受信及び解釈、ページングトリガメッセージ（適切なページング情報を含む）の送信の管理等、ページングトリガ機能を管理するように動作可能である。ページングトリガモジュール８８は、適用可能な場合には、ページングを停止するためのメッセージを送るように動作可能である（例えば、ＰＴＷの最後に）。
【００８２】
上で説明した様々な例示的な方法についてのより詳細な説明を以下（図９〜図１２を参照して）行う。
【００８３】
ｅＤＲＸサポートに応じた異なるページングタイミング：
上述したように、本明細書に記載する１つの例示的な方法では、ｅＤＲＸサポートに応じて異なるページングタイミングを用いてもよい。
【００８４】
図９は、ｅＤＲＸサポートに応じて異なるページングタイミングの使用を促す図５の電気通信ネットワークにおいて用いられ得る例示的なｅＤＲＸベースの方法を示す簡略化したメッセージシーケンス図である。
【００８５】
図９に示すように、ｅＤＲＸをサポートする基地局５−１（この例ではｅＮＢ１）は、Ｓ９１０において、（例えば、適切なＳ１アプリケーションプロトコル（Ｓ１ＡＰ）メッセージにおいて）このサポートの指示をＭＭＥに提供する。次にＭＭＥ９は、Ｓ９１２において、ｅＤＲＸをサポートする基地局５−１がｅＤＲＸをサポートすることを、またこのサポートの記録を保持することを判定する。さらに、ＭＭＥ９はｅＤＲＸをサポートする基地局５−１がｅＤＲＸをサポートすることを判定することができるため、ＭＭＥ９は、また暗に非ｅＤＲＸサポート基地局５−２がｅＤＲＸをサポートしない（そしてｅＤＲＸサポートを保証できない）と暗示的に判定することができる。
【００８６】
Ｓ９１４では、（アイドルモードｅＤＲＸをサポートする）ＵＥ３は、ｅＤＲＸをサポートする基地局５−１のセル内に存在し、したがってＳＩＢ１において、基地局５−１からｅＤＲＸ許可情報要素を受信する。
【００８７】
Ｓ９１６では、ＵＥ３とＭＭＥ９とがアタッチ手順又はＴＡＵ手順に携わり、ｅＤＲＸの使用を可能にし、且つ関連するｅＤＲＸパラメータをネゴシエートする（例えば、図２を参照してより詳細に説明したように）。具体的には、ＵＥ３は、１つ又は複数の所望のｅＤＲＸパラメータをＭＭＥ９に送信される適切な要求メッセージに含めることによりｅＤＲＸの使用を要求し、（例えば、アタッチ要求メッセージ又はＴＡＵ要求メッセージにおいて）アタッチ手順又はＴＡＵ（トラッキングエリア更新）手順を開始する。ＭＭＥ９は、アイドルモードｅＤＲＸをサポートし、所望のパラメータに合意し、１つ又は複数の（合意された）ｅＤＲＸパラメータを関連する応答に含める（例えば、アタッチ受付メッセージ又はＴＡＵ受付メッセージにおいて）。その後アタッチ／ＴＡＵ手順は次の段階に進み、ＵＥ３は対応する完了メッセージ（例えば、アタッチ完了メッセージ又はＴＡＵ完了メッセージ）をＭＭＥ９に送り、この時点で処理を完了する。
【００８８】
Ｓ９１８において、ＭＭＥ９は、ＵＥ３のためのダウンリンクデータ通知をＳ−ＧＷ１１から受け取る。ダウンリンクデータ通知を受け取ったＭＭＥ９は、どのようにページングを進めるかを判断する際に、ＵＥと基地局の両方のｅＤＲＸ機能を考慮する。具体的には、ＭＭＥ９は、（ＵＥのＴＡリストに属する）ｅＤＲＸをサポートしない（又はｅＤＲＸサポートを保証できない）各基地局５−２（ＵＥのＴＡリストに属する）及び（ＵＥのＴＡリストに属する）ｅＤＲＸをサポートする各基地局５−１（ＵＥのＴＡリストに属する）を識別する。
【００８９】
Ｓ９２０において、ＭＭＥ９は識別された非ｅＤＲＸサポート基地局に対して即時にページングをトリガし、Ｓ９２２において、適切なレガシＤＲＸ情報を含むページングトリガメッセージを（例えば、「ページングＤＲＸ  ＩＥ」において）送信する。
【００９０】
ｅＤＲＸをサポートせず、Ｓ９２２において送信されたページングトリガメッセージを受信する各基地局はその後、ページングトリガメッセージにおいてＤＲＸ情報に従ってＳ９２４においてページングメッセージのブロードキャストを開始する。この例では、ＵＥ３は、ｅＤＲＸをサポートしない基地局のセルに移動していないため、このページングはＵＥ３において受信されない。
【００９１】
Ｓ９２６においてＭＭＥ９は、識別されたｅＤＲＸサポート基地局に対して、ｅＤＲＸに従ってページングをトリガする。具体的には、Ｓ９２８において、ＭＭＥ９は、適切なｅＤＲＸ情報を含むページングトリガメッセージを（例えば、「ページングｅＤＲＸ情報ＩＥ」において）、関連するＰＴＷ内に、又はその直前に、（ＵＥのＴＡリストに属する）各ｅＤＲＸサポート基地局に送信する。これは、典型的には（しかし必ずしも常にではないが）、非ｅＤＲＸサポート基地局に対して送信されるページングトリガのかなり後に行われ、したがって、このトリガは以前のページング試行に対して応答が受信されなかったことを条件として行われ得る。
【００９２】
ｅＤＲＸをサポートせず、Ｓ９２８において送信されたページングトリガメッセージを受信する各基地局はその後、ページングトリガメッセージにおいてページングｅＤＲＸ情報に従ってＳ９３０においてページングメッセージのブロードキャストを開始する。この例では、ＵＥ３は、ｅＤＲＸをサポートする基地局５−１のセルから移動していないため、このページングは合意されたｅＤＲＸ周期に従ってＳ９３２において起動する際ＵＥ３において受信される。
【００９３】
ｅＤＲＸサポートに関わらず同じページングタイミング：
上述したように、本明細書に記載する１つの例示的な方法では、ｅＤＲＸサポートに関わらず同じページングタイミングが用いられ得る。
図１０は、ｅＤＲＸサポートに関わらず同じページングタイミングの使用を容易にするための、図５の電気通信ネットワークにおいて使用され得る別の例示的なｅＤＲＸベースの方法を示す簡略化したメッセージシーケンス図である。
【００９４】
図１０に示すように、ｅＤＲＸをサポートする基地局５−１（この例ではｅＮＢ１）は、Ｓ１０１０において、（例えば、適切なＳ１ＡＰメッセージにおいて）このサポートの指示をＭＭＥ９に提供する。次にＭＭＥ９は、Ｓ１０１２において、ｅＤＲＸをサポートする基地局５−１がｅＤＲＸをサポートすることを、またこのサポートの記録を保持することを判定する。さらに、ＭＭＥ９はｅＤＲＸをサポートする基地局５−１がｅＤＲＸをサポートすることを判定することができるため、ＭＭＥ９はまた、非ｅＤＲＸサポート基地局５−２がｅＤＲＸをサポートしない（そしてｅＤＲＸサポートを保証できない）と暗示的に判定することができる。
【００９５】
Ｓ１０１４では、（アイドルモードｅＤＲＸをサポートする）ＵＥ３は、ｅＤＲＸをサポートする基地局５−１のセル内に存在し、したがってＳＩＢ１において、基地局５−１からｅＤＲＸ許可情報要素を受信する。
【００９６】
Ｓ１０１６では、ＵＥ３は、ＭＭＥ９に送られる適切な要求メッセージに１つ又は複数の所望のｅＤＲＸパラメータを含めることによってｅＤＲＸの使用を要求し、それにより、（例えば、アタッチ要求メッセージ又はＴＡＵ要求メッセージにおいて）アタッチ手順又はトラッキングエリア更新（ＴＡＵ）手順を開始する。
【００９７】
Ｓ１０１８として、（アイドルモードｅＤＲＸをサポートする）ＭＭＥ９は、ＵＥのＴＡリスト（又はＴＡ）にある全ての基地局がｅＤＲＸをサポートするか否かを識別する。
【００９８】
この例のように、ＵＥのＴＡリストにある全ての基地局がｅＤＲＸをサポートしない場合、ＭＭＥ９はｅＤＲＸパラメータを含めることなく（例えば、アタッチ／ＴＡＵ受付メッセージを使用して）応答することにより、ｅＤＲＸを有効にするための暗黙の要求を拒否する。したがって、このような拒否メッセージを受け取ったＵＥ３はｅＤＲＸを用いることができないことを知ることになり、（Ｓ１０２２において）ｅＤＲＸを有効にすることなくアタッチ手順を完了することができる。
【００９９】
一方、ＵＥのＴＡリスト（又はＴＡ）にある全ての基地局がｅＤＲＸをサポートし、ＭＭＥ９が所望のパラメータに合意する場合、ＭＭＥ９は、Ｓ１０２０において１つ又は複数の（合意された）ｅＤＲＸパラメータを関連する応答（例えば、アタッチ受付メッセージ又はＴＡＵ受付メッセージにおいて）に含める。その後、アタッチ／ＴＡＵ手順はＳ１０２２に進み、ＵＥ３は対応する完了メッセージ（例えば、アタッチ完了メッセージ又はＴＡＵ完了メッセージ）をＭＭＥ９に送信し、この時点で処理を完了する。
【０１００】
ＭＭＥがページング送信ウィンドウを制御する：
上述したように、本明細書に記載する１つの例示的な方法では、ＭＭＥがページング送信ウィンドウを制御する。
【０１０１】
図１１は、ページング送信ウィンドウのＭＭＥ制御を容易にするための図５の電気通信ネットワーク１において用いられ得るさらに別の例示的なｅＤＲＸベースの方法を示す簡略化したメッセージシーケンス図である。
【０１０２】
図１１に示すように、Ｓ１１０２では、（アイドルモードｅＤＲＸをサポートする）ＵＥ３は、ｅＤＲＸをサポートする基地局５−１のセル内に存在し、したがってＳＩＢ１において基地局５−１からｅＤＲＸ許可情報要素を受信する。
【０１０３】
Ｓ１１０４では、ＵＥ３が適切な要求メッセージをＭＭＥ９に送り、ｅＤＲＸパラメータを含むアタッチ手順又はトラッキングエリア更新（ＴＡＵ）手順を（例えば、アタッチ要求メッセージ又はＴＡＵ要求メッセージにおいて）開始してｅＤＲＸの有効化を要求する。
【０１０４】
ＭＭＥ９は要求メッセージを受信すると、（例えば、ｅＤＲＸをサポートしない基地局のセルにおいてｅＤＲＸを有効にするために、上述のように基地局から受信したサポートの指示に基づいて、又はＵＥによる１つ又は複数の以前の試行に基づいて）ＵＥのＴＡリスト内の全ての基地局がｅＤＲＸをサポートするわけではないと判定する。したがって、Ｓ１１０６において、ＭＭＥ９は、１つ又は複数のｅＤＲＸパラメータに加えて、関連する応答におけるｅＤＲＸに対する基地局のサポートに関わらずｅＤＲＸが有効になっているという指示（例えば、アタッチ受付メッセージ又はＴＡＵ受付メッセージにおいて）を含む。したがって、ＵＥ３がＭＭＥ９から応答を受信すると、ｅＤＲＸに対する基地局のサポートに関わらずｅＤＲＸが有効になっていることが分かり、したがって、ｅＤＲＸをサポートしない基地局のセルに移動した場合であっても、受付メッセージにおいて受信されたｅＤＲＸパラメータに基づいてｅＤＲＸを使用し続けることになる。その後アタッチ／ＴＡＵ手順はＳ１１０８に進み、ＵＥ３は対応する完了メッセージ（例えば、アタッチ完了メッセージ又はＴＡＵ完了メッセージ）をＭＭＥ９に送信し、この時点で処理を完了する。
【０１０５】
したがって、その後Ｓ１１１０においてＵＥ３がｅＤＲＸをサポートしない基地局５−２のあるセルに移動すると、Ｓ１１１２において受信するシステム情報はｅＤＲＸに対するサポートを示していない。したがって、ＵＥ３は、Ｓ１１１３に示すように、ページングモニタリングのためにｅＤＲＸに従って起動し続ける。
【０１０６】
ＭＭＥ９は、Ｓ１１１４において、ＵＥ３のためにＳ−ＧＷ１１からダウンリンクデータ通知を受信する。ダウンリンクデータ通知を受信すると、ＭＭＥ９は、ＵＥのＴＡリストの基地局がｅＤＲＸをサポートするか否かに関わらず、Ｓ１１１６において、ｅＤＲＸに従ってページングをトリガする。具体的には、ＭＭＥ９はＳ１１１８において、関連するＰＴＷ内に、又はその直前に、ページングトリガメッセージを（ＵＥのＴＡリストに属する）各基地局に送る。ページングトリガメッセージは、この例ではｅＤＲＸ情報（例えば、「ページングｅＤＲＸ情報（paging eDRX information）」ＩＥ）を含まず、代わりに適切なＤＲＸ情報を含むレガシＤＲＸページングメッセージ（例えば、「ページングＤＲＸ  ＩＥ（paging DRX IE）」において）としてフォーマットされる。しかしながら、ページングトリガメッセージは理論的には、ｅＤＲＸページングメッセージ（例えば、「ページングｅＤＲＸ情報」ＩＥを含む）としてフォーマットされ得ることが理解されよう。
【０１０７】
Ｓ１１１８において、送信されたページングトリガメッセージを受信した各基地局はその後、ページングトリガメッセージ内のＤＲＸ情報に従って、Ｓ１１２２においてページングメッセージのブロードキャストを開始する。これはＵＥ３がページングメッセージの１つに適切に応答するまで継続する（例えば、ＲＡＣＨ手順を開始するために）。
【０１０８】
この例では、ＰＴＷの終わりにページングメッセージのいずれに対しても応答が受信されない場合、ＭＭＥ９は、ＰＴＷがＳ１１２４において終了したことを、そしてページングが停止されるべきと判断する。これを容易にするために、ＭＭＥ９はＳ１１２６において、（ＵＥのＴＡリストに属する）各基地局にメッセージを送り適切にページングを停止する。この停止メッセージは適切に構成されたページングトリガメッセージのバージョンを含んでもよく、又は（例えば、専用のＳ１−ＡＰメッセージ等を用いた）専用のページング停止メッセージ（paging stop message）等を含んでもよいことが理解されよう。
【０１０９】
図１２は、ページング送信ウィンドウのＭＭＥ制御を容易にするための図５の電気通信ネットワーク１において用いられ得るさらに別の例示的なｅＤＲＸベースの方法を示す簡略化したメッセージシーケンス図である。
【０１１０】
図１２に示すように、Ｓ１２０２では、（アイドルモードｅＤＲＸをサポートする）ＵＥ３は、ｅＤＲＸをサポートする基地局５−１のセル内に存在し、したがってＳＩＢ１において基地局５−１からｅＤＲＸ許可情報要素を受信する。
【０１１１】
Ｓ１２０４では、ＵＥ３が適切な要求メッセージをＭＭＥ９に送信し、ｅＤＲＸパラメータを含むアタッチ手順又はトラッキングエリア更新（ＴＡＵ）手順を（例えば、アタッチ要求メッセージ又はＴＡＵ要求メッセージにおいて）開始してｅＤＲＸの有効化を要求する。
【０１１２】
ＭＭＥ９が要求メッセージを受信すると、（例えば、ｅＤＲＸをサポートしない基地局のセルにおいてｅＤＲＸを有効にするために、上述のように基地局から受信したサポートの指示に基づいて、又はＵＥ３による１つ又は複数の以前の試行に基づいて）ＵＥのＴＡリスト内の全ての基地局がｅＤＲＸをサポートするわけではないと判定する。したがって、Ｓ１２０６において、ＭＭＥ９は、１つ又は複数のｅＤＲＸパラメータに加えて、関連する応答におけるｅＤＲＸに対する基地局のサポートに関わらずｅＤＲＸが有効になっているという指示（例えば、アタッチ受付メッセージ又はＴＡＵ受付メッセージにおいて）を含む。したがって、ＵＥ３がＭＭＥ９から応答を受信すると、ｅＤＲＸに対する基地局のサポートに関わらずｅＤＲＸが有効になっていることが分かり、したがって、ｅＤＲＸをサポートしない基地局のセルに移動した場合であっても、受付メッセージにおいて受信されたｅＤＲＸパラメータに基づいてｅＤＲＸを使用し続けることになる。その後アタッチ／ＴＡＵ手順はＳ１２０８に進み、ＵＥ３は対応する完了メッセージ（例えば、アタッチ完了メッセージ又はＴＡＵ完了メッセージ）をＭＭＥ９に送信し、この時点で処理を完了する。
【０１１３】
したがって、その後Ｓ１２１０においてＵＥ３がｅＤＲＸをサポートしない基地局５−２のあるセルに移動すると、Ｓ１２１２において受信するシステム情報はｅＤＲＸに対するサポートを示していない。したがって、ＵＥ３は、Ｓ１２１３に示すように、ページングモニタリングのためのｅＤＲＸに従って起動し続ける。
【０１１４】
ＭＭＥ９は、Ｓ１２１４において、ＵＥ３に対してＳ−ＧＷ１１からダウンリンクデータ通知を受信する。ダウンリンクデータ通知を受信したＭＭＥ９は、ＵＥのＴＡリストの基地局がｅＤＲＸをサポートするか否かに関わらず、Ｓ１２１６において、ｅＤＲＸに従ってページングをトリガする。具体的には、ＭＭＥ９はＳ１２１８において、関連するＰＴＷ内に、又はその直前に、ページングトリガメッセージを（ＵＥのＴＡリストに属する）各基地局に送信する。ページングトリガメッセージは、この例ではｅＤＲＸ情報（例えば、「ページングｅＤＲＸ情報（paging eDRX information）」ＩＥ）を含まず、代わりに適切なＤＲＸ情報を含むレガシＤＲＸページングメッセージ（例えば、「ページングＤＲＸ  ＩＥ（paging DRX IE）」において）としてフォーマットされる。しかしながら、ページングトリガメッセージは理論的には、ｅＤＲＸページングメッセージ（例えば、「ページングｅＤＲＸ情報（paging eDRX information）」ＩＥを含む）としてフォーマットされ得ることが理解されよう。
【０１１５】
Ｓ１２１８において送信されたページングトリガメッセージを受信した各基地局はその後、ページングトリガメッセージ内のＤＲＸ情報に従って、Ｓ１２２２においてページングメッセージのブロードキャストを開始する。これはＵＥ３がページングメッセージの１つに適切に応答するまで継続する（例えば、ＲＡＣＨ手順を開始するために）。
【０１１６】
しかしながら、この例ではタイマが各基地局においてＰＴＷのタイミングを計るように構成されている。このタイマの長さは、ページングトリガメッセージにより適切に構成されてもよく且つ／又は基地局において受信され且つ／又は格納された情報に基づいて適切な方式に基づき判断されてもよい。各基地局はページングのメッセージの送信を開始する際に、Ｓ１２２０においてタイマを開始し、ＵＥ３からの適切な応答に続いてページングが終了しない場合には、タイマが満了する際に、Ｓ１２２４においてページングメッセージの送信を停止する。タイマは、エアインタフェースを介してページング送信が繰り返される最大回数を設定し、繰り返し回数に達したときに送信を停止することによって実装され得ることが理解されよう。
【０１１７】
変形及び代替
詳細な実施形態を上述した。当業者には理解されるように、その中に具体化された発明から依然として利益を得ながら、上記の実施形態に対して多くの変形及び代替を行い得る。
【０１１８】
Ｅ−ＵＴＲＡＮ基地局（ｅＮＢ）として動作する基地局に関して通信システムについて説明しているが、同じ原理がマクロ基地局又はピコ基地局、フェムト基地局、基地局機能の要素を提供する中継ノード、ホーム基地局（ＨｅＮＢ）、又は他のこれらの通信ノードとして動作する基地局に適用され得ることが理解されよう。
【０１１９】
上記の実施形態では、ＬＴＥ電気通信システムについて説明した。当業者には理解されるように、本願において説明する技術は以前の３ＧＰＰタイプシステムを含む他の通信システムにおいて採用され得る。他の通信ノード又は通信デバイスは、例えば携帯情報端末、ラップトップコンピュータ、ウェブブラウザ等のユーザデバイスを含んでもよい。
【０１２０】
上記の実施形態では、基地局及び通信デバイスはそれぞれトランシーバ回路を含んでもよい。典型的には、この回路は専用のハードウェア回路から構成される。しかしながら、いくつかの実施形態では、トランシーバ回路の一部は対応するコントローラによって実行されるソフトウェアとして実施され得る。
【０１２１】
上記の実施形態では、多くのソフトウェアモジュールを説明した。当業者には理解されるように、ソフトウェアモジュールは、コンパイルされた又はコンパイルされていない形式で提供されてもよく、コンピュータネットワークを介して、又は記録媒体上で信号としてＭＭＥ、基地局、又は通信デバイスに供給されてもよい。さらに、このソフトウェアの一部又は全部により実行される機能は１つ又は複数の専用のハードウェア回路を使用して実施され得る。
【０１２２】
例えば、本明細書に記載する機能及び／又はモジュールは必要な機能を提供するために適切なソフトウェア命令を用いてプログラムされた１つ又は複数のハードウェアコンピュータプロセッサを有する１つ又は複数のコンピュータ処理装置を用いて実装され得る（例えば、図６〜図８を参照して説明するコントローラの一部を構成する１つ又は複数のコンピュータプロセッサ）。これらの機能の全て又は一部は例えばＡＳＩＣ（特定用途向け集積回路）等の１つ又は複数の専用の集積回路を使用して専用回路としてハードウェアにおいて実装され得ることが理解されよう。
【０１２３】
ＵＥ及び基地局についての説明において（すなわち、図６〜図８を参照して）言及したコントローラは、例えばアナログ又はデジタルのコントローラ等の任意の適切なコントローラを含んでもよいことが理解されよう。各コントローラは、例えば１つ又は複数のハードウェア実装コンピュータプロセッサ、マイクロプロセッサ、中央処理装置（ＣＰＵｓ）、演算論理ユニット（ＡＬＵｓ）、入力／出力（ＩＯ）回路、内部メモリ／キャッシュ（プログラム及び／又はデータ）、処理レジスタ、通信バス（例えば、制御、データ及び／又はアドレスバス）、ダイレクトメモリアクセス（ＤＭＡ）機能、ハードウェア又はソフトウェア実装カウンタ、ポインタ及び／又はタイマ等を含む（がそれらに限定されない）任意の適切な形態の処理回路等を含み得る。
【０１２４】
上記の例では、基地局は、ｅＤＲＸをサポートする能力についてＭＭＥに通知するように構成されているものとして記載されていることが理解されよう。代替的に（又は付加的に）、ＭＭＥは各基地局（又は各ｅＤＲＸサポート基地局）のｅＤＲＸ機能についてＯＡＭ（運用管理及びメンテナンス）機能により通知されてもよい。これは基地局の粒度（at the granularity of the base stations）（例えば、ｅＮＢ毎）又はＴＡの粒度（at the granularity of the TAs）毎に（ａｔ  ｔｈｅ  ｇｒａｎｕｌａｒｉｔｙ  ｏｆ）（例えば、任意のＴＡ内のｅＤＲＸをサポートしない全てのｅＮＢがｅＤＲＸをサポートする／しない）で行われてもよい。
【０１２５】
さらに、有利な変形／代替では、ＭＭＥは、特定のＵＥのＴＡリストを構成する際に基地局のｅＤＲＸ能力（capability）を考慮に入れてもよい。例えば、ＭＭＥは全ての基地局がｅＤＲＸをサポートするＴＡのみを含むようにＵＥのＴＡリストを設定するために任意のＵＥと通信してもよい。同様に、ＭＭＥは、任意のＵＥと通信を行い、ｅＤＲＸサポート基地局を含むＴＡのためのｅＤＲＸサポートＴＡリスト及び非ｅＤＲＸサポート基地局を含むＴＡのための非ｅＤＲＸサポートＴＡリストを別々に構成してもよい。この可能性は、たとえＴＡリスト構成の目的のための追加のＭＭＥ機能を犠牲にしても、全ての基地局間で同じページング時間が使用され得るという利点も有する。
【０１２６】
上記の例では、ＭＭＥはｅＤＲＸサポート基地局からｅＤＲＸサポート基地局を示す明示の通知を受信することが理解されよう。代替的に（又は付加的に）、非ｅＤＲＸサポート基地局は、非ｅＤＲＸサポート基地局がｅＤＲＸをサポートしないことを示す明示の通知をＭＭＥ９に提供するように構成され得ることが理解されよう。同様に、ＭＭＥは代替的に（又は付加的に）非ｅＤＲＸサポート基地局がｅＤＲＸをサポートしないと判定しサポートの欠如（サポートしていないこと）の記録を保持してもよい。
【０１２７】
図１０の手順では、ＵＥのＴＡリストにある全ての基地局がｅＤＲＸをサポートしない場合、ＭＭＥ９は適切な拒否メッセージを使用して（例えば、適宜、アタッチ拒否メッセージ（Attach Reject message）又はＴＡＵ拒否メッセージ（TAU Reject message）を使用して）アタッチ／ＴＡＵ要求を拒否し得ることが理解されよう。これらの拒否メッセージは例えば、拒否の原因がｅＤＲＸに対するサポートの欠如であること（サポートしていないこと）を識別するＩＥを含んでもよい。したがって、そのような拒否のメッセージを受け取ったＵＥはｅＤＲＸを有効にすることを要求しない新たなアタッチ／ＴＡＵ手順に携わってもよい。
【０１２８】
一例では、セルラ通信システムのためのコアネットワーク通信ノードが提供されてもよく、該コアネットワーク通信ノードは、コントローラとトランシーバとを備え、コントローラは、それぞれがセルラ通信システムの少なくとも１つのセルを動作させる複数の通信装置を含む少なくとも１つのトラッキングエリアを識別するための情報を保持し、トランシーバを制御して、セルラ通信システムの少なくとも１つのトラッキングエリアの少なくとも１つの通信装置がｅＤＲＸ（extended discontinuous reception）をサポートするという少なくとも１つの指示を受け取り、通信デバイスに対してページングが要求されていること及び該通信デバイスが少なくとも１つのトラッキングエリアの通信装置のセルに位置すると判定し、ｅＤＲＸのためのサポートの指示を受け取っていない少なくとも１つのトラッキングエリアの通信装置を介してｅＤＲＸに固有でないＤＲＸ（discontinuous reception）情報に従って通信デバイスのページングをトリガし、且つｅＤＲＸのためのサポートの指示を受け取った少なくとも１つのトラッキングエリアの各通信装置を介してｅＤＲＸ固有の情報に従って通信デバイスのページングをトリガする、ように構成されている。
【０１２９】
コントローラは、ｅＤＲＸ固有の情報に応じて通信デバイスのページングをトリガする前に、通信デバイスが、ｅＤＲＸに固有ではないＤＲＸ情報に従って通信デバイスの以前のページングに応答したか否かを判定するように構成されていてもよい。
【０１３０】
コントローラは、通信デバイスが通信デバイスの以前のページングに応答していないと判定した場合、ｅＤＲＸ固有の情報に応じて通信デバイスのページングをトリガするように構成されていてもよい。
【０１３１】
コントローラは、通信デバイスが通信デバイスの以前のページングに応答していると判定した場合、ｅＤＲＸ固有の情報に応じて通信デバイスのページングをトリガしないように構成されていてもよい。
【０１３２】
一例では、セルラ通信システムのためのコアネットワーク通信ノードが提供されてもよく、該コアネットワーク通信ノードは、コントローラとトランシーバとを備え、コントローラは、それぞれがセルラ通信システムの少なくとも１つのセルを動作させる複数の通信装置を含む少なくとも１つのトラッキングエリアを識別するための情報を保持し、セルラ通信システムの少なくとも１つのトラッキングエリアの少なくとも１つの通信装置がｅＤＲＸ（extended discontinuous reception）をサポートするという少なくとも１つの指示を受信するようにトランシーバを制御し、少なくとも１つのトラッキングエリアの通信装置のセルに位置する通信デバイスから、ｅＤＲＸを有効にするための情報を含む要求メッセージを受信し、少なくとも１つのトラッキングエリアの全ての複数の通信装置がｅＤＲＸをサポートするよう指示されているか否かを判定し、コントローラが、少なくとも１つのトラッキングエリアの全ての複数の通信装置がｅＤＲＸをサポートすることを示しているわけではないと判定した場合、ｅＤＲＸを有効にすることを拒否するメッセージを通信デバイスに送信するようにトランシーバを制御し、コントローラが、少なくとも１つのトラッキングエリアの全ての複数の通信装置がｅＤＲＸをサポートすることを示していると判定した場合、ｅＤＲＸを有効にすることを受け入れるメッセージを通信デバイスに送信するようにトランシーバを制御する。
【０１３３】
要求メッセージ及びｅＤＲＸを有効にすることを受け入れる（又は拒否する）メッセージはそれぞれ、アタッチ手順の一部を形成するアタッチ要求メッセージ及びアタッチ受付メッセージ（又はアタッチ拒否メッセージ）であってもよい。
【０１３４】
要求メッセージ及びｅＤＲＸを有効にすることを受け入れる（又は拒否する）メッセージはそれぞれ、ＴＡＵ手順の一部を形成するＴＡＵ（tracking area update）要求メッセージ、及びＴＡＵ受付メッセージ（又はＴＡＵ拒否メッセージ）であってもよい。
【０１３５】
セルラ通信システムの少なくとも１つのトラッキングエリアの少なくとも１つの通信装置がｅＤＲＸをサポートするという少なくとも１つの指示は、少なくとも１つのトラッキングエリアの全ての通信装置がｅＤＲＸをサポートするという指示を含んでもよい。
【０１３６】
セルラ通信システムの少なくとも１つのトラッキングエリアの少なくとも１つの通信装置がｅＤＲＸをサポートするという少なくとも１つの指示は、ｅＤＲＸをサポートする各通信装置に対するそれぞれの指示を含んでもよい。
【０１３７】
コントローラは、セルラ通信システムの少なくとも１つのトラッキングエリアの少なくとも１つの通信装置がｅＤＲＸをサポートするという少なくとも１つの指示を少なくとも１つの通信装置から（例えば、Ｓ１インタフェースを介して、例えば、Ｓ１ＡＰ（S1 application protocol）メッセージにおいて）受信するようにトランシーバを制御してもよい。
【０１３８】
コントローラは、セルラ通信システムの少なくとも１つのトラッキングエリアの少なくとも１つの通信装置がｅＤＲＸをサポートするという少なくとも１つの指示をＯＡＭ（運用管理メンテナンス：operations, administration, and maintenance）機能から受信するようにトランシーバを制御してもよい。
【０１３９】
一例では、セルラ通信システムの少なくとも１つのセルを動作させるための通信装置が提供されてもよく、該通信装置は、コントローラとトランシーバとを備え、コントローラは、セル内の通信デバイスにより、ｅＤＲＸ（extended discontinuous reception）の使用に対するサポートを提供し、通信装置がｅＤＲＸをサポートするという指示をコアネットワーク通信ノードに提供するようにトランシーバを制御する。
【０１４０】
この指示はＳ１インタフェースを介して（例えばＳ１ＡＰ（S1 application protocol）メッセージにおいて）提供され得てもよい。
【０１４１】
一例では、セルラ通信システムのためのコアネットワーク通信ノードが提供されてもよく、該コアネットワーク通信ノードは、コントローラとトランシーバとを備え、コントローラは、それぞれがセルラ通信システムの少なくとも１つのセルを動作させる複数の通信装置を含む少なくとも１つのトラッキングエリアを識別するための情報を保持し、通信デバイスが位置しているセルを動作する通信装置がｅＤＲＸをサポートしているか否かに関わらず、ｅＤＲＸ（extended discontinuous reception）が使用されるという指示を、少なくとも１つのトラッキングエリアの通信装置のセルに位置する通信デバイスに送信するようにトランシーバを制御し、ｅＤＲＸ設定に応じて通信デバイスにおいてｅＤＲＸを使用することを可能にするために通信デバイスと通信するようにトランシーバを制御し、通信デバイスに対してページングが要求されていると判定し、ｅＤＲＸ設定に応じて、ＰＴＷ（paging transmission window）内において、又は直前において、少なくとも１つのトラッキングエリアの複数の通信装置を介して、通信デバイスのページングをトリガする。
【０１４２】
コントローラは、ページングをトリガする場合、ｅＤＲＸに固有でないＤＲＸ（discontinuous reception）情報に基づいてページングをトリガするように構成されていてもよい。
【０１４３】
ｅＤＲＸ（extended discontinuous reception）が用いられ得るという指示がＮＡＳ（non-access stratum）メッセージにおいて提供されてもよい。
【０１４４】
ｅＤＲＸ（extended discontinuous reception）が用いられるという指示が、ｅＤＲＸを有効にすることを要求しない（例えば、ｅＤＲＸパラメータを含まない）要求メッセージに対して送信される受付メッセージ（例えば、アタッチメッセージ又はトラッキングエリア更新受付メッセージ）にｅＤＲＸパラメータを含むことにより提供されてもよい。
【０１４５】
コントローラは、さらに、ＰＴＷの終わりにおいてページングを停止するようトリガするように構成されていてもよい。
【０１４６】
一例では、セルラ通信システムのための通信デバイスが提供されてもよく、該通信デバイスは、コントローラとトランシーバとを備え、コントローラは、コアネットワーク通信ノードから、通信デバイスが位置しているセルを動作する通信装置がｅＤＲＸをサポートしているか否かに関わらず、ｅＤＲＸ（extended discontinuous reception）が使用されるという指示を受信するようにトランシーバを制御し、通信デバイスが位置しているセルを動作する通信装置がｅＤＲＸをサポートしているか否かに関わらず、ｅＤＲＸ設定に応じて通信デバイスにおいてｅＤＲＸの使用を可能にするためにコアネットワーク通信ノードと通信するようにトランシーバを制御し、ｅＤＲＸ設定に応じてＰＴＷ（paging transmission window）の間、ページングメッセージを監視するためにトランシーバを起動するように制御する。
【０１４７】
一例では、セルラ通信システムの少なくとも１つのセルを動作させるための通信装置が提供されてもよく、該通信装置は、コントローラとトランシーバとを備え、コントローラは、コアネットワーク通信ノードから、ｅＤＲＸ設定に応じて、ＰＴＷ（ページング送信ウィンドウ）内において、又は直前において、通信デバイスのページングをトリガするためのメッセージを受信するようにトランシーバを制御し、ｅＤＲＸに固有でないＤＲＸ（discontinuous reception）情報に応じて、セルにおいてページングメッセージを送信するようにトランシーバを制御し、トランシーバがＰＴＷの終わりにおいてセルにページングメッセージを送信することを停止する。
【０１４８】
コントローラは、通信装置において実装されるタイマに基づいて、トランシーバがＰＴＷの終わりにおいてセルにページングメッセージを送信することを停止するように構成されていてもよい。
【０１４９】
コントローラは、コアネットワーク通信ノードから受信したメッセージに基づいて、トランシーバがＰＴＷの終わりにおいてセルにページングメッセージを送信することを停止するように構成されていてもよい。
【０１５０】
他の様々な変形形態が当業者には明らかであろう。それらの変形形態は本明細書にはこれ以上詳細には説明しない。
【０１５１】
この出願は、２０１６年９月３０日に出願されたイギリス特許出願第１６１６７３２．２号を基礎とする優先権を主張し、その開示の全てをここに取り込む。
【図１】
2019533357.tif 000003
【図２】
2019533357.tif 000004
【図３】
2019533357.tif 000005
【図４】
2019533357.tif 000006
【図５】
2019533357.tif 000007
【図６】
2019533357.tif 000008
【図７】
2019533357.tif 000009
【図８】
2019533357.tif 000010
【図９】
2019533357.tif 000011
【図１０】
2019533357.tif 000012
【図１１】
2019533357.tif 000013
【図１２】
2019533357.tif 000014
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
セルラ通信システムのためのコアネットワーク通信ノードであって、該コアネットワーク通信ノードは、
コントローラとトランシーバとを備え、
前記コントローラは、
それぞれが前記セルラ通信システムの少なくとも１つのセルを動作させる複数の通信装置を含む少なくとも１つのトラッキングエリアを識別するための情報を保持し、
前記セルラ通信システムの前記少なくとも１つのトラッキングエリアの少なくとも１つの通信装置がｅＤＲＸ（extended discontinuous reception）をサポートするという少なくとも１つの指示を受信するように前記トランシーバを制御し、
通信デバイスに対してページングが要求されていること及び当該通信デバイスが前記少なくとも１つのトラッキングエリアの通信装置のセルに位置すると判定し、
ｅＤＲＸのサポートの指示が受信されない前記少なくとも１つのトラッキングエリアの通信装置を介して、ｅＤＲＸに固有でないＤＲＸ（discontinuous reception）情報に応じて前記通信デバイスのページングをトリガし、
ｅＤＲＸのサポートの指示が受信された前記少なくとも１つのトラッキングエリアの各通信装置を介して、ｅＤＲＸ固有の情報に応じて前記通信デバイスのページングをトリガする、コアネットワーク通信ノード。
【請求項２】
前記コントローラは、ｅＤＲＸ固有の情報に応じて、前記通信デバイスの前記ページングをトリガする前に、前記通信装置が、ｅＤＲＸに固有ではないＤＲＸ情報に応じて、前記通信デバイスの以前のページングに応答したか否かを判定する、請求項１に記載のコアネットワーク通信ノード。
【請求項３】
前記コントローラは、前記通信デバイスが前記通信デバイスの前記以前のページングに応答していないと判定した場合、ｅＤＲＸ固有の情報に応じて、前記通信デバイスの前記ページングをトリガする、請求項２に記載のコアネットワーク通信ノード。
【請求項４】
前記コントローラは、前記通信デバイスが前記通信デバイスの前記以前のページングに応答していると判定した場合、ｅＤＲＸ固有の情報に応じて前記通信デバイスの前記ページングをトリガしない、請求項２又は３に記載のコアネットワーク通信ノード。
【請求項５】
セルラ通信システムのためのコアネットワーク通信ノードであって、該コアネットワーク通信ノードは、
コントローラとトランシーバとを備え、
前記コントローラは、
それぞれが前記セルラ通信システムの少なくとも１つのセルを動作させる複数の通信装置を含む少なくとも１つのトラッキングエリアを識別するための情報を保持し、
前記セルラ通信システムの前記少なくとも１つのトラッキングエリアの少なくとも１つの通信装置がｅＤＲＸ（extended discontinuous reception）をサポートするという少なくとも１つの指示を受信するように前記トランシーバを制御し、
前記少なくとも１つのトラッキングエリアの通信装置のセルに位置する通信デバイスから、ｅＤＲＸを有効にするための情報を含む要求メッセージを受信し、
前記少なくとも１つのトラッキングエリアの全ての前記複数の通信装置がｅＤＲＸをサポートすることを示しているか否かを判定し、
前記コントローラが、前記少なくとも１つのトラッキングエリアの全ての前記複数の通信装置がｅＤＲＸをサポートすることを示しているわけではないと判定した場合、ｅＤＲＸを有効にすることを拒否するメッセージを前記通信デバイスに送信するように前記トランシーバを制御し、
前記コントローラが、前記少なくとも１つのトラッキングエリアの全ての前記複数の通信装置がｅＤＲＸをサポートすることを示していると判定した場合、ｅＤＲＸを有効にすることを受け入れるメッセージを前記通信デバイスに送信するように前記トランシーバを制御する、コアネットワーク通信ノード。
【請求項６】
前記要求メッセージ及びｅＤＲＸを有効にすることを受け入れる（又は拒否する）前記メッセージはそれぞれ、アタッチ手順の一部を形成するアタッチ要求メッセージ及びアタッチ受付メッセージ（又はアタッチ拒否メッセージ）である、請求項５に記載のコアネットワーク通信ノード。
【請求項７】
前記要求メッセージ及びｅＤＲＸを有効にすることを受け入れる（又は拒否する）前記メッセージはそれぞれ、ＴＡＵ手順の一部を形成するＴＡＵ（tracking area update）要求メッセージ、及びＴＡＵ受付メッセージ（又はＴＡＵ拒否メッセージ）である、請求項５に記載のコアネットワーク通信ノード。
【請求項８】
前記セルラ通信システムの前記少なくとも１つのトラッキングエリアの少なくとも１つの通信装置がｅＤＲＸをサポートするという前記少なくとも１つの指示は、前記少なくとも１つのトラッキングエリアの全ての通信装置がｅＤＲＸをサポートするという指示を含む、請求項１から７のいずれか１項に記載のコアネットワーク通信ノード。
【請求項９】
前記セルラ通信システムの前記少なくとも１つのトラッキングエリアの少なくとも１つの通信装置がｅＤＲＸをサポートするという前記少なくとも１つの指示は、ｅＤＲＸをサポートする各通信装置に対するそれぞれの指示を含む、請求項１から７のいずれか１項に記載のコアネットワーク通信ノード。
【請求項１０】
前記コントローラは、前記セルラ通信システムの前記少なくとも１つのトラッキングエリアの少なくとも１つの通信装置がｅＤＲＸをサポートするという前記少なくとも１つの指示を前記少なくとも１つの通信装置から受信するように前記トランシーバを制御する、請求項９に記載のコアネットワーク通信ノード。
【請求項１１】
前記コントローラは、前記セルラ通信システムの前記少なくとも１つのトラッキングエリアの少なくとも１つの通信装置がｅＤＲＸをサポートするという前記少なくとも１つの指示をＯＡＭ（運用管理メンテナンス：operations, administration, and maintenance）機能から受信するように前記トランシーバを制御する、請求項１から９のいずれか１項に記載のコアネットワーク通信ノード。
【請求項１２】
セルラ通信システムの少なくとも１つのセルを動作させるための通信装置であって、該通信装置は、
コントローラとトランシーバとを備え、
前記コントローラは、
前記セル内の通信デバイスにより、ｅＤＲＸ（extended discontinuous reception）の使用に対するサポートを提供し、
前記通信装置がｅＤＲＸをサポートするという指示をコアネットワーク通信ノードに提供するように前記トランシーバを制御する、通信装置。
【請求項１３】
セルラ通信システムのためのコアネットワーク通信ノードであって、該コアネットワーク通信ノードは、
コントローラとトランシーバとを備え、
前記コントローラは、
それぞれが前記セルラ通信システムの少なくとも１つのセルを動作させる複数の通信装置を含む少なくとも１つのトラッキングエリアを識別するための情報を保持し、
通信デバイスが位置している前記セルを動作する通信装置がｅＤＲＸをサポートしているか否かに関わらず、ｅＤＲＸ（extended discontinuous reception）が使用されるという指示を、前記少なくとも１つのトラッキングエリアの通信装置のセルに位置する通信デバイスに送信するように前記トランシーバを制御し、
ｅＤＲＸ設定に応じて前記通信デバイスにおいてｅＤＲＸを使用することを可能にするために前記通信デバイスと通信するように前記トランシーバを制御し、
前記通信デバイスに対してページングが要求されていることを判定し、
前記ｅＤＲＸ設定に応じて、ＰＴＷ（paging transmission window）内において、又は直前において、前記少なくとも１つのトラッキングエリアの前記複数の通信装置を介して、前記通信デバイスのページングをトリガする、コアネットワーク通信ノード。
【請求項１４】
前記コントローラは、前記ページングをトリガする場合、ｅＤＲＸに固有でないＤＲＸ（discontinuous reception）情報に基づいて、ページングをトリガする、請求項１３に記載のコアネットワーク通信ノード。
【請求項１５】
ｅＤＲＸ（extended discontinuous reception）が使用されるという指示は、ＮＡＳ（non-access stratum）メッセージにおいて提供される、請求項１３又は１４に記載のコアネットワーク通信ノード。
【請求項１６】
ｅＤＲＸ（extended discontinuous reception）が使用されるという指示は、ｅＤＲＸを有効にすることを要求しない要求メッセージに対して送信される受付メッセージにｅＤＲＸパラメータを含むことにより提供される、請求項１３、１４、又は１５に記載のコアネットワーク通信ノード。
【請求項１７】
前記コントローラは、さらに、前記ＰＴＷの終わりで前記ページングを停止することをトリガする、請求項１３〜１６のいずれか１項に記載のコアネットワーク通信ノード。
【請求項１８】
セルラ通信システムのための通信デバイスであって、該通信デバイスは、
コントローラとトランシーバとを備え、
前記コントローラは、
コアネットワーク通信ノードから、前記通信デバイスが位置しているセルを動作する通信装置がｅＤＲＸをサポートしているか否かに関わらず、ｅＤＲＸ（extended discontinuous reception）が使用されるという指示を受信するように前記トランシーバを制御し、
前記通信デバイスが位置している前記セルを動作する前記通信装置がｅＤＲＸをサポートしているか否かに関わらず、ｅＤＲＸ設定に応じて前記通信デバイスにおいてｅＤＲＸの使用を可能にするために前記コアネットワーク通信ノードと通信するように前記トランシーバを制御し、
前記ｅＤＲＸ設定に応じて、ＰＴＷ（paging transmission window）の間、ページングメッセージを監視するために前記トランシーバを起動するように制御する、通信装置。
【請求項１９】
セルラ通信システムの少なくとも１つのセルを動作させるための通信装置であって、該通信装置は、
コントローラとトランシーバとを備え、
前記コントローラは、
コアネットワーク通信ノードから、ｅＤＲＸ設定に応じて、ＰＴＷ（paging transmission window）内において、又は直前において、通信デバイスのページングをトリガするためのメッセージを受信するように前記トランシーバを制御し、
ｅＤＲＸに固有でないＤＲＸ（discontinuous reception）情報に応じて、前記セルにおいてページングメッセージを送信するように前記トランシーバを制御し、
前記トランシーバが前記ＰＴＷの終わりにおいて前記セルに前記ページングメッセージを送信することを停止する、通信装置。
【請求項２０】
前記コントローラは、前記通信装置において実装されるタイマに基づいて、前記トランシーバが前記ＰＴＷの終わりにおいて前記セルに前記ページングメッセージを送信することを停止する、請求項１９に記載の通信装置。
【請求項２１】
前記コントローラは、前記コアネットワーク通信ノードから受信したメッセージに基づいて、前記トランシーバが前記ＰＴＷの終わりにおいて前記セルに前記ページングメッセージを送信することを停止する、請求項１９に記載の通信装置。
【請求項２２】
セルラ通信システムにおけるコアネットワーク通信ノードにより実行される方法であって、該方法は、
それぞれが前記セルラ通信システムの少なくとも１つのセルを動作させる複数の通信装置を含む少なくとも１つのトラッキングエリアを識別するための情報を保持することと、
前記セルラ通信システムの前記少なくとも１つのトラッキングエリアの少なくとも１つの通信装置がｅＤＲＸ（extended discontinuous reception）をサポートするという少なくとも１つの指示を受信することと、
通信デバイスに対してページングが要求されていること及び当該通信デバイスが前記少なくとも１つのトラッキングエリアの通信装置のセルに位置すると判定することと、
ｅＤＲＸのサポートの指示が受信されない前記少なくとも１つのトラッキングエリアの通信装置を介して、ｅＤＲＸに固有でないＤＲＸ（discontinuous reception）情報に応じて前記通信デバイスのページングをトリガすることと、
ｅＤＲＸのサポートの指示が受信された前記少なくとも１つのトラッキングエリアの各通信装置を介して、ｅＤＲＸ固有の情報に応じて前記通信デバイスのページングをトリガすることと、を含む、方法。
【請求項２３】
セルラ通信システムの少なくとも１つのセルを動作させる通信装置により実行される方法であって、該方法は、
前記セル内にある通信デバイスによってｅＤＲＸ（extended discontinuous reception）の使用に対するサポートを提供することと、
前記通信装置がｅＤＲＸをサポートするという指示をコアネットワーク通信ノードに提供することと、を含む、方法。
【国際調査報告】
2019533357.tif 000015
2019533357.tif 000016
2019533357.tif 000017
2019533357.tif 000018
2019533357.tif 000019
2019533357.tif 000020